(57)【特許請求の範囲】
【請求項１】
間に搬送路を形成し、一端部が、所定の間隔で平行にされて間に接続対象搬送路を形成する一対の接続側搬送ガイドの端部と嵌合可能な形状に形成された一対の搬送ガイドと、
上記一対の搬送ガイドをそれぞれ上記一対の接続側搬送ガイドの位置に応じて回動可能に支持する支持部と、
上記一対の搬送ガイドを、上記間隔で平行にして回動するように連結する連結部と
を具える紙葉類搬送装置。
【請求項２】
上記一対の搬送ガイドを、上記一対の接続側搬送ガイドの位置に応じて回転させるための回転制御レバー
を具える請求項１に記載の紙葉類搬送装置。
【請求項３】
それぞれ上記一対の搬送ガイド、上記支持部、上記連結部及び上記回転制御レバーを有する複数の紙葉類搬送部
を具え、
複数の上記紙葉類搬送部は、
所定の一方向及び当該一方向とは逆の他方向へ移動可能な他の紙葉類搬送装置に上記一方向に沿って順次配置される複数の上記一対の接続側搬送ガイドに対応させて、上記一方向に沿って順次配置され、
複数の上記紙葉類搬送部の上記回転制御レバーは、
上記一方向に沿って先端部を順に上記一方向と直交する直交方向へずらして位置させるように設けられた
請求項２に記載の紙葉類搬送装置。
【請求項４】
所定の間隔で平行にされて間に搬送路を形成すると共に、一端部が、上記間隔で平行にされて間に接続対象搬送路を形成する一対の接続側搬送ガイドの端部と嵌合可能な形状に形成された一対の搬送ガイドと、
上記一対の搬送ガイドを、上記一対の接続側搬送ガイドの位置に応じて回動可能に支持する支持部と、
上記支持部に回動可能に支持された上記一対の搬送ガイドを、上記一対の接続側搬送ガイドの位置に応じて回転させるための回転制御レバーと、
それぞれ上記一対の搬送ガイド、上記支持部及び上記回転制御レバーを有する複数の紙葉類搬送部と
を具え、
複数の上記紙葉類搬送部は、
所定の一方向及び当該一方向とは逆の他方向へ移動可能な他の紙葉類搬送装置に上記一方向に沿って順次配置される複数の上記一対の接続側搬送ガイドに対応させて、上記一方向に沿って順次配置され、
複数の上記紙葉類搬送部の上記回転制御レバーは、
上記一方向に沿って先端部を順に上記一方向と直交する直交方向へずらして位置させるように設けられた
紙葉類搬送装置。
【請求項５】
上記一方向に沿って順次配置される複数の紙葉類収納庫を、対応する上記紙葉類搬送部に対して位置決めするための複数の位置決めピンと、
複数の上記紙葉類搬送部にそれぞれ設けられた複数の上記位置決めピンを、複数の上記紙葉類収納庫にそれぞれ形成されたピン差込孔部に差し込み、また複数の上記紙葉類収納庫それぞれの上記ピン差込孔部から引き抜く差込引抜部と
を具える請求項３又は請求項４に記載の紙葉類搬送装置。
【請求項６】
上記差込引抜部は、
複数の上記紙葉類収納庫が収納される筐体内に設けられ、当該筐体に開閉可能に取り付けられた扉の開閉に応じて、複数の上記位置決めピンを、複数の上記紙葉類収納庫それぞれの上記ピン差込孔部に差し込み、また複数の上記紙葉類収納庫それぞれの上記ピン差込孔部から引き抜く
請求項５に記載の紙葉類搬送装置。
【請求項７】
所定の間隔で平行にされて間に接続対象搬送路を形成する一対の接続側搬送ガイドと、
間に搬送路を形成し、一端部が上記一対の接続側搬送ガイドの端部と嵌合可能な形状に形成された一対の搬送ガイドと、
上記一対の搬送ガイドをそれぞれ上記一対の接続側搬送ガイドの位置に応じて回動可能に支持する支持部と、
上記一対の搬送ガイドを、上記間隔で平行にして回動するように連結する連結部と
を具える紙葉類取扱装置。
【発明の詳細な説明】
【技術分野】
【０００１】
本発明は紙葉類搬送装置及び紙葉類取扱装置に関し、例えば、紙幣の入金及び出金の取引を行う現金自動預払機（ATM：Automatic  Teller  Machine）、及び当該現金自動預払機に設けられた紙幣搬送部に適用して好適なものである。
【背景技術】
【０００２】
従来の現金自動取引装置は、装置内部において下側に金庫が配置されると共に、当該金庫の上側に上部紙幣機構が前後に移動して引出及び収納可能なように配置されている。
【０００３】
そして上部紙幣機構内には、紙幣を搬送するための搬送路（以下、これを機構内紙幣搬送路とも呼ぶ）を形成する紙幣搬送部（以下、これを機構内搬送部とも呼ぶ）が設けられている。
【０００４】
また金庫内にも、紙幣を搬送するための搬送路（以下、これを金庫内搬送路とも呼ぶ）を形成する紙幣搬送部（以下、これを金庫内搬送部とも呼ぶ）が設けられている。
【０００５】
さらに金庫は、上部所定位置に孔部が穿設されている。そして金庫の孔部には、現金自動取引装置に上部紙幣機構が収納された場合に金庫内搬送部及び機構内搬送部を連結して金庫内搬送路及び機構内紙幣搬送路に対し紙幣を受け渡すように搬送するための搬送路（以下、これを紙幣受渡搬送路とも呼ぶ）を形成する紙幣搬送部（以下、これを受渡搬送部とも呼ぶ）が配置されている。
【０００６】
ただし、現金自動取引装置では、例えば、上部紙幣機構が収納されて固定される際、受渡搬送部の真上から機構内搬送部が当該上部紙幣機構の引出側（以下、これを機構引出側とも呼ぶ）や収納側（以下、これを機構収納側とも呼ぶ）にずれる場合がある。
【０００７】
このため現金自動取引装置には、受渡搬送部に対し機構内搬送部が機構引出側や機構収納側にずれても、紙幣受渡搬送路を機構内紙幣搬送路に接続し得る受渡搬送部が設けられている。
【０００８】
すなわち、図２１に示すように、機構内搬送部２００は、受渡搬送部２０１との搬送路接続部分に一対の平行な搬送ガイド２１０、２１１が矢印ａ１０に示す上部紙幣機構の引出方向（以下、これを機構引出方向とも呼ぶ）に沿って所定の間隔で順に並べて固設されると共に、図示しないローラ等も配置されている。
【０００９】
これにより機構内搬送部２００は、機構引出側に位置する一方の搬送ガイド（以下、これを引出側固定ガイドとも呼ぶ）２１０と、機構収納側に位置する他方の搬送ガイド（以下、これを収納側固定ガイドとも呼ぶ）２１１との間に、これらの間隔を搬送路縦幅とする機構内紙幣搬送路を形成している。
【００１０】
そして引出側固定ガイド２１０及び収納側固定ガイド２１１は、それぞれ下側に向けられた先端部が櫛歯状に形成されている。
【００１１】
また引出側固定ガイド２１０は、所定位置に板状の押付部２１２が、受渡搬送部２０１側（すなわち、下側）に突出するように設けられている。
【００１２】
一方、受渡搬送部２０１は、機構内搬送部２００との搬送路接続部分に一対の搬送ガイド２２０、２２１が機構引出方向に沿って所定の間隔で順に位置させて、各々の根元部に取り付けられた回動軸２２２、２２３を介して回動可能に設けられると共に、ローラ２２４、２２５や搬送ベルト２２６が設けられている。
【００１３】
これにより受渡搬送部２０１は、機構引出側に位置する一方の搬送ガイド（以下、これを引出側可動ガイドとも呼ぶ）２２０と、機構収納側に位置する他方の搬送ガイド（以下、これを収納側可動ガイドとも呼ぶ）２２１との間に、これらの間隔を搬送路縦幅とする紙幣受渡搬送路を形成している。
【００１４】
この場合、引出側可動ガイド２２０及び収納側可動ガイド２２１は、各々の先端部を根元部よりも上側に位置させており、当該先端部が櫛歯状に形成されている。
【００１５】
また引出側可動ガイド２２０は、先端部に、略Ｌ字状の突起部２２０Ａが機構収納側へ突出するように設けられている。
【００１６】
そして受渡搬送部２０１は、引出側可動ガイド２２０よりも機構引出側にばね（以下、これを引出側ばねも呼ぶ）２２７が設けられ、当該引出側ばね２２７により引出側可動ガイド２２０を時計回方向（すなわち、機構収納側）へ回転させるように付勢している。
【００１７】
また受渡搬送部２０１は、収納側可動ガイド２２１よりも機構収納側に、引出側ばね２２７よりも弾性力の大きいばね（以下、これを収納側ばねとも呼ぶ）２２８が設けられ、当該収納側ばね２２８により収納側可動ガイド２２１を反時計回方向（すなわち、機構引出側）へ回転させるように付勢している。
【００１８】
これにより受渡搬送部２０１は、引出側ばね２２７及び収納側ばね２２８の作用によって引出側可動ガイド２２０の突起部２２０Ａを収納側可動ガイド２２１の先端部に押し付けている。
【００１９】
そして受渡搬送部２０１では、引出側可動ガイド２２０を機構引出方向に対して垂直にして突起部２２０Ａを収納側可動ガイド２２１の先端部の所定位置（以下、これを基準位置とも呼ぶ）に押し付けた場合、引出側可動ガイド２２０及び収納側可動ガイド２２１を引出側固定ガイド２１０及び収納側固定ガイド２１１の間隔と等しい間隔で平行にする（すなわち、共に垂直にする）ように当該突起部２２０Ａの長さが選定されている。
【００２０】
現金自動取引装置は、係る構成のもと、メンテナンス時に上部紙幣機構が引き出されると、機構内搬送部２００を受渡搬送部２０１から引き離す。
【００２１】
この際、現金自動取引装置は、収納側可動ガイド２２１及び引出側可動ガイド２２０を反時計回方向の、引出側ばね２２７及び収納側ばね２２８の弾性力が釣り合う所定角度まで回転させて機構引出側へ傾斜させる。
【００２２】
この状態で現金自動取引装置は、上部紙幣機構が収納されると、機構内搬送部２００の押付部２１２を引出側可動ガイド２２０の突起部２２０Ａに押し付けるようにして、当該引出側可動ガイド２２０を機構内搬送部２００の押付部２１２の位置に応じた角度だけ時計回方向へ回転させる。
【００２３】
また現金自動取引装置は、引出側可動ガイド２２０の突起部２２０Ａを収納側可動ガイド２２１の先端部に押し付けていることで、当該引出側可動ガイド２２０の回転に連動させて収納側可動ガイド２２１も時計回方向へ回転させる。
【００２４】
これにより図２２に示すように、現金自動取引装置は、機構内搬送部２００が受渡搬送部２０１の真上よりも機構引出側へずれている場合は、引出側可動ガイド２２０及び収納側可動ガイド２２１を垂直な姿勢よりも機構引出側へ傾けた姿勢にして、これらの先端部を引出側固定ガイド２１０及び収納側固定ガイド２１１の先端部に嵌合して紙幣受渡搬送路を機構内紙幣搬送路に接続する。
【００２５】
また図２３に示すように、現金自動取引装置は、機構内搬送部２００が受渡搬送部２０１の真上に位置する場合は、引出側可動ガイド２２０及び収納側可動ガイド２２１を垂直な姿勢にして、これらの先端部を引出側固定ガイド２１０及び収納側固定ガイド２１１の先端部に嵌合して紙幣受渡搬送路を機構内紙幣搬送路に接続する。
【００２６】
さらに図２４に示すように、現金自動取引装置は、機構内搬送部２００が受渡搬送部２０１の真上よりも機構収納側へずれている場合は、引出側可動ガイド２２０及び収納側可動ガイド２２１を垂直な姿勢よりも機構収納側へ傾けた姿勢にして、これらの先端部を引出側固定ガイド２１０及び収納側固定ガイド２１１の先端部に嵌合して紙幣受渡搬送路を機構内紙幣搬送路に接続する。
【００２７】
このようにして現金自動取引装置は、上部紙幣機構が収納されて固定された場合、受渡搬送部２０１に対する機構内搬送部２００の位置ずれに関わらずに、紙幣受渡搬送路を機構内紙幣搬送路に接続し得るようにしていた（例えば、特許文献１参照）。
【先行技術文献】
【特許文献】
【００２８】
【特許文献１】特開２００９−２０５２５２公報（第４頁乃至第８頁、図３、図５乃至図１３）
【発明の概要】
【発明が解決しようとする課題】
【００２９】
ところで、係る構成の現金自動取引装置は、上部紙幣機構の収納に応じて引出側可動ガイド２２０を時計回方向へ回転させると、収納側可動ガイド２２１も当該引出側可動ガイド２２０に固定的に設けられた突起部２２０Ａの押し付けにより時計回方向へ回転させている。
【００３０】
すなわち、現金自動取引装置は、機構内搬送部２００が受渡搬送部２０１の真上よりも機構引出側へずれている場合、引出側可動ガイド２２０の突起部２２０Ａを収納側可動ガイド２２１の基準位置よりも先端側に押し付けて、当該引出側可動ガイド２２０及び収納側可動ガイド２２１を垂直な姿勢よりも機構引出側へ傾ける。
【００３１】
また現金自動取引装置は、機構内搬送部２００が受渡搬送部２０１の真上よりも機構収納側へずれている場合、引出側可動ガイド２２０の突起部２２０Ａを収納側可動ガイド２２１の基準位置よりも根元側に押し付けて、当該引出側可動ガイド２２０及び収納側可動ガイド２２１を垂直な姿勢よりも機構収納側へ傾ける。
【００３２】
ところが、現金自動取引装置では、このように引出側可動ガイド２２０の突起部２２０Ａを収納側可動ガイド２２１の基準位置とは異なる位置に押し付けると、引出側可動ガイド２２０及び収納側可動ガイド２２１が異なる傾斜角度で傾いて平行にならなくなる。
【００３３】
すなわち、現金自動取引装置では、引出側可動ガイド２２０及び収納側可動ガイド２２１を傾けると、当該収納側可動ガイド２２１及び引出側可動ガイド２２０の先端部側の搬送路縦幅と根元部側の搬送路縦幅とが異なるようになる。
【００３４】
このため現金自動取引装置では、引出側可動ガイド２２０及び収納側可動ガイド２２１を傾けて引出側固定ガイド２１０及び収納側固定ガイド２１１と嵌合させると、図２２や図２４からも明らかなように、紙幣受渡搬送路と機構内紙幣搬送路との接続部分内に、当該紙幣受渡搬送路側や機構内紙幣搬送路側の先端部が入り込んで段差や凹みが形成される。
【００３５】
そして現金自動取引装置では、紙幣受渡搬送路及び機構内紙幣搬送路の接続部分内に先端部が入り込んで段差や凹みが形成されていると、実際に紙幣を搬送したとき、当該接続部分内の段差や凹みに紙幣が引っ掛かりジャム（すなわち、紙幣の詰まり）が発生し、また紙幣が破損する場合がある。
【００３６】
このため従来の現金自動取引装置は、受渡搬送部２０１に対する機構内搬送部２００の位置ずれに関わらずに紙幣受渡搬送路を機構内紙幣搬送路に的確に接続するには未だ不十分であるという問題があった。
【００３７】
本発明は以上の点を考慮してなされたもので、搬送路を接続対象搬送路と位置ずれの有無に関わらずに的確に接続し得る紙葉類搬送装置及び紙葉類取扱装置を提案しようとするものである。
【課題を解決するための手段】
【００３８】
かかる課題を解決するため本発明においては、間に搬送路を形成し、一端部が、所定の間隔で平行にされて間に接続対象搬送路を形成する一対の接続側搬送ガイドの端部と嵌合可能な形状に形成された一対の搬送ガイドと、一対の搬送ガイドをそれぞれ一対の接続側搬送ガイドの位置に応じて回動可能に支持する支持部と、一対の搬送ガイドを、一対の接続側搬送ガイドの間隔で平行にして回動するように連結する連結部とを設けた。
【００３９】
従って本発明では、一対の接続側搬送ガイドの位置に応じて一対の搬送ガイドを回転させて、搬送路に対する接続対象搬送路の位置ずれにより、一対の搬送ガイドを一対の接続側搬送ガイドに対して傾けた姿勢で当該一対の搬送ガイドの一端部を一対の接続側搬送ガイドの端部と嵌合させても、連結部により一対の搬送ガイドを連結して平行リンクを形成していることで、搬送路と接続対象搬送路とを搬送路縦幅を変化させずに接続して接続部分内に段差や凹みが形成されることを確実に防止することができる。
【発明の効果】
【００４０】
本発明によれば、間に搬送路を形成し、一端部が、所定の間隔で平行にされて間に接続対象搬送路を形成する一対の接続側搬送ガイドの端部と嵌合可能な形状に形成された一対の搬送ガイドと、一対の搬送ガイドをそれぞれ一対の接続側搬送ガイドの位置に応じて回動可能に支持する支持部と、一対の搬送ガイドを、一対の接続側搬送ガイドの間隔で平行にして回動するように連結する連結部とを設けたことにより、一対の接続側搬送ガイドの位置に応じて一対の搬送ガイドを回転させて、搬送路に対する接続対象搬送路の位置ずれにより、一対の搬送ガイドを一対の接続側搬送ガイドに対して傾けた姿勢で当該一対の搬送ガイドの一端部を一対の接続側搬送ガイドの端部と嵌合させても、連結部により一対の搬送ガイドを連結して平行リンクを形成していることで、搬送路と接続対象搬送路とを搬送路縦幅を変化させずに接続して接続部分内に段差や凹みが形成されることを確実に防止することができ、かくして搬送路を接続対象搬送路と位置ずれの有無に関わらずに的確に接続し得る紙葉類搬送装置及び紙葉類取扱装置を実現することができる。
【図面の簡単な説明】
【００４１】
【図１】本発明による現金自動預払機の外観構成の一実施の形態を示す略線的斜視図である。
【図２】現金自動預払機の内部構成を示す略線的側面図である。
【図３】連結部の構成を示す略線的斜視図である。
【図４】連結部による上部ユニット及び収納庫装填ケースの支持の説明に供する略線的正面図である。
【図５】預払機筐体に対する上部ユニットの引出及び収納の説明に供する略線的側面図である。
【図６】金庫筐体に対する収納庫装填ケースの引出及び収納の説明に供する略線的側面図である。
【図７】双方向受渡搬送部の構成（１）を示す略線的斜視図である。
【図８】双方向受渡搬送部の構成（２）を示す略線的斜視図である。
【図９】双方向受渡搬送部の搬送ガイドの構成を示す略線的斜視図である。
【図１０】前側可動ガイド及び後側可動ガイドの回動の説明に供する略線図である。
【図１１】左側昇降制御レバー及び右側昇降制御レバーの回転に連動した左側位置決めピン及び右側位置決めピンの収納の説明に供する略線的側面図である。
【図１２】左側昇降制御レバー及び右側昇降制御レバーの回転に連動した左側位置決めピン及び右側位置決めピンの突き出しの説明に供する略線的側面図である。
【図１３】双方向受渡搬送部の構成（３）を示す略線的斜視図である。
【図１４】双方向紙幣搬送路と紙幣振分搬送路及び収納紙幣搬送路との接続（１）の説明に供する略線的側面図である。
【図１５】双方向紙幣搬送路と紙幣振分搬送路及び収納紙幣搬送路との接続（２）の説明に供する略線的側面図である。
【図１６】双方向紙幣搬送路と紙幣振分搬送路及び収納紙幣搬送路との接続（３）の説明に供する略線的側面図である。
【図１７】双方向受渡搬送部に対する紙幣収納庫の位置決めの説明に供する略線的側面図である。
【図１８】双方向受渡搬送部に対する紙幣収納庫の位置決めの解除の説明に供する略線的側面図である。
【図１９】紙幣収納庫の構成を示す略線的斜視図である。
【図２０】他の実施の形態による一対の搬送ガイドの構成を示す略線的側面図である。
【図２１】従来の機構内搬送部及び受渡搬送部の構成を示す略線的断面図である。
【図２２】機構内紙幣搬送路と紙幣受渡搬送路との接続（１）の説明に供する略線的断面図である。
【図２３】機構内紙幣搬送路と紙幣受渡搬送路との接続（２）の説明に供する略線的断面図である。
【図２４】機構内紙幣搬送路と紙幣受渡搬送路との接続（３）の説明に供する略線的断面図である。
【発明を実施するための形態】
【００４２】
以下図面を用いて、発明を実施するための最良の形態（以下、これを実施の形態とも呼ぶ）について説明する。なお、説明は以下の順序で行う。
（１）実施の形態
（２）他の実施の形態
【００４３】
（１）実施の形態
（１−１）現金自動預払機の外観構成
図１において、１は全体として本発明を適用した現金自動預払機の外観構成を示す。かかる現金自動預払機１は、略箱型の筐体（以下、これを預払機筐体とも呼ぶ）２を有している。
【００４４】
因みに、以下の説明では、現金自動預払機１を、預払機筐体２の前面２Ａと対峙して見た場合の図中に矢印ａ１で示す左の方向を、預払機左方向とも呼び、当該預払機左方向とは逆の方向を、預払機右方向とも呼ぶ。
【００４５】
そして、以下の説明では、預払機左方向及び預払機右方向を特に区別する必要がない場合、これらをまとめて預払機左右方向とも呼ぶ。
【００４６】
また、以下の説明では、現金自動預払機１を、預払機筐体２の前面２Ａと対峙して見た場合の図中に矢印ｂ１で示す上の方向を、預払機上方向とも呼び、当該預払機上方向とは逆の方向を、預払機下方向とも呼ぶ。
【００４７】
そして、以下の説明では、預払機上方向及び預払機下方向を特に区別する必要がない場合、これらをまとめて預払機上下方向とも呼ぶ。
【００４８】
さらに、以下の説明では、現金自動預払機１を、預払機筐体２の前面２Ａと対峙して見た場合の図中に矢印ｃ１で示す手前の方向を、預払機前方向とも呼び、当該預払機前方向とは逆の方向を、預払機後方向とも呼ぶ。
【００４９】
そして、以下の説明では、預払機前方向及び預払機後方向を特に区別する必要がない場合、これらをまとめて預払機前後方向とも呼ぶ。
【００５０】
預払機筐体２の前上端部には、前面２Ａよりも後面２Ｂ側に凹むように略Ｌ字状に形成されたフロントパネル３が設けられている。
【００５１】
フロントパネル３において預払機上方向に向くほぼ水平な上向パネル３Ａには、例えば、左寄りに、種々の操作画像の表示及び表面へのタッチ操作が可能なタッチスクリーン４が設けられている。
【００５２】
またフロントパネル３の上向パネル３Ａには、例えば、右寄りに、長方形の紙幣を投入し、また取り出すための紙幣投入取出部５が設けられている。
【００５３】
一方、フロントパネル３において預払機前方向に向くほぼ垂直な前向パネル３Ｂには、例えば、左寄りに、取引の際に通帳を挿入し、また当該通帳や取引明細書を排出するための通帳挿入排出口７が設けられている。
【００５４】
またフロントパネル３において前向パネル３Ｂには、例えば、右寄りに、取引の際にキャッシュカードやクレジットカード等の種々のカードを挿入及び排出するためのカード挿入排出口８が設けられている。
【００５５】
現金自動預払機１は、係る構成のもと、タッチスクリーン４に操作画像を表示すると共に、顧客によるタッチスクリーン４の表面へのタッチ操作に応じて操作画像を適宜切り換えて表示する。
【００５６】
これにより現金自動預払機１は、顧客に操作画像を介して、紙幣の預け入れのような入金や払い出しのような出金等の所望の取引の手順を案内する。
【００５７】
よって現金自動預払機１は、顧客に、その案内に従って通帳挿入排出口７やカード挿入排出口８に通帳やカードを挿入させ、また紙幣投入取出部５に入金用の紙幣を投入させる。
【００５８】
また現金自動預払機１は、顧客に、その案内に従って通帳挿入排出口７やカード挿入排出口８から排出した通帳や取引明細書、カードを受け取らせ、紙幣投入取出部５から出金用の紙幣を取り出させる。このようにして現金自動預払機１は、顧客が所望する紙幣の入金や出金等の取引を行うことができる。
【００５９】
（１−２）現金自動預払機の内部構成
次いで、現金自動預払機１の内部構成について説明する。図２に示すように、現金自動預払機１の預払機筐体２内には、当該現金自動預払機１全体を統括制御する制御部１０が収納されると共に、当該制御部１０の制御のもと、紙幣の入金処理及び出金処理等を行う紙幣処理ユニット１１が収納されている。
【００６０】
紙幣処理ユニット１１は、下部ユニット１２及び上部ユニット１３を有し、当該下部ユニット１２に上部ユニット１３が載上されている。
【００６１】
下部ユニット１２は、比較的厚い複数の金属板を組み合わせるようにして略箱型に形成された金庫筐体１５を有し、当該金庫筐体１５が預払機筐体２内に固設されている。
【００６２】
また金庫筐体１５内には、上端部が開放された略箱型の収納庫装填ケース１６が収納されている。収納庫装填ケース１６は、例えば、底面に図示しない複数の仕切板が前から後にかけて所定の間隔で順に植設され、これら複数の仕切板により底面が前から後にかけて順に複数の収納庫装填位置に区切られている。
【００６３】
そして収納庫装填ケース１６は、最も前の１箇所の収納庫装填位置に、破損している紙幣や折れ曲がっている紙幣等のような異常な紙幣を収納するための１個の紙幣収納庫１７が着脱可能に装填されている。
【００６４】
また収納庫装填ケース１６は、最も前の１箇所の収納庫装填位置を除く他の複数箇所の収納庫装填位置に、それぞれ入金用及び出金用の紙幣を金種別に収納する（すなわち、それぞれ特定の１金種の紙幣のみを収納する）ための複数（例えば、５個）の紙幣収納庫２０乃至２４が着脱可能に装填されている。
【００６５】
因みに、以下の説明では、上述の破損している紙幣や折れ曲がっている紙幣等のような異常な紙幣を、適宜、入金用及び出金用の紙幣とは区別してリジェクト紙幣とも呼ぶ。
【００６６】
また、以下の説明では、リジェクト紙幣を収納するための１個の紙幣収納庫１７を、入金用及び出金用の紙幣を金種別に収納する紙幣収納庫２０乃至２４とは区別して特にリジェクト庫１７とも呼ぶ。
【００６７】
リジェクト庫１７は、上端部内に、搬送ガイドやローラ等の複数種類の搬送路形成部品を有する紙幣搬送部（以下、これをリジェクト庫搬送部とも呼ぶ）１７Ａが一体に設けられている。
【００６８】
そしてリジェクト庫搬送部１７Ａは、複数種類の搬送路形成部品により、リジェクト庫１７内にリジェクト紙幣を取り込むように搬送するための搬送路（以下、これをリジェクト紙幣搬送路とも呼ぶ）１７ＡＸを形成している。
【００６９】
また複数の紙幣収納庫２０乃至２４には、それぞれ上端部内に、搬送ガイドやローラ、ローラ駆動モータ等の複数種類の搬送路形成部品を有する紙幣搬送部（以下、これを収納庫搬送部とも呼ぶ）２０Ａ乃至２４Ａが一体に設けられている。
【００７０】
そして収納庫搬送部２０Ａ乃至２４Ａは、複数種類の搬送路形成部品により、紙幣収納庫２０乃至２４内に紙幣を取り込み、また紙幣収納庫２０乃至２４内から紙幣を繰り出すように搬送するための搬送路（以下、これを収納紙幣搬送路とも呼ぶ）２０ＡＸ乃至２４ＡＸを形成している。
【００７１】
上部ユニット１３は、上部筐体２７と、紙幣搬送部２８とを有し、当該上部筐体２７の下面に紙幣搬送部２８が取り付けられている。
【００７２】
上部筐体２７内には、上向パネル３Ａに対向させて上述の紙幣投入取出部５が配置され、当該紙幣投入取出部５の後斜下に鑑別部３０が配置されると共に、紙幣投入取出部５及び鑑別部３０の後側に一時保留部３１が配置されている。
【００７３】
また上部筐体２７内には、前側の紙幣投入取出部５及び鑑別部３０の間に、搬送ガイドやローラ、ローラ駆動モータ等の複数種類の搬送路形成部品を有する紙幣搬送部（以下、これを前側搬送部とも呼ぶ）３２が配置されている。
【００７４】
前側搬送部３２は、複数種類の搬送路形成部品により、紙幣を、搬送先を適宜切り換えて搬送するための搬送路（以下、これを前側紙幣搬送路とも呼ぶ）３２Ａを形成して、当該前側紙幣搬送路３２Ａが紙幣投入取出部５及び鑑別部３０に接続されている。
【００７５】
さらに上部筐体２７内には、後側の紙幣投入取出部５、鑑別部３０及び一時保留部３１の間にも、搬送ガイドやローラ、ローラ駆動モータ等の複数種類の搬送路形成部品を有する紙幣搬送部（以下、これを後側搬送部とも呼ぶ）３３が配置されている。
【００７６】
後側搬送部３３は、複数種類の搬送路形成部品により、紙幣を、搬送先を適宜切り換えて搬送するための複数の分岐を有する搬送路（以下、これを後側紙幣搬送路とも呼ぶ）３３Ａを形成して、当該後側紙幣搬送路３３Ａが紙幣投入取出部５、鑑別部３０及び一時保留部３１に接続されている。
【００７７】
さらに上部筐体２７の下面に取り付けられた紙幣搬送部２８は、搬送ガイドやローラ、ローラ駆動モータ等の複数種類の搬送路形成部品を有している。
【００７８】
紙幣搬送部２８は、複数種類の搬送路形成部品により、リジェクト紙幣や正常な紙幣を、搬送先を適宜切り換えてリジェクト庫１７や複数の紙幣収納庫２０乃至２４へ振り分けるように搬送するための搬送路（以下、これを紙幣振分搬送路とも呼ぶ）２８Ａを形成している。
【００７９】
そして紙幣振分搬送路２８Ａは、２箇所の上端部が前側紙幣搬送路３２Ａの下端部及び後側紙幣搬送路３３Ａの下端部に接続されている。
【００８０】
因みに、以下の説明では、上部筐体２７の下面に設けられ、紙幣振分搬送路２８Ａを形成する紙幣搬送部２８を、振分搬送部２８とも呼ぶ。
【００８１】
これに加え下部ユニット１２において金庫筐体１５の天板（以下、これを金庫天板とも呼ぶ）１５Ａには、振分搬送部２８と、リジェクト庫搬送部１７Ａ及び複数の収納庫搬送部２０Ａ乃至２４Ａとを連結するための連結部３５が設けられている。
【００８２】
図３に示すように、連結部３５は、例えば、略長方形状の１枚の金属板を加工して、金庫天板１５Ａの大きさとほほ同じ大きさに形成された連結筐体３６を有している。
【００８３】
連結筐体３６は、中央部分に前後に長い略長方形の平板状の取付部３６Ａが設けられている。また連結筐体３６は、取付部３６Ａの左端及び右端に、前後に長い略コ字状のユニット左支持部３６Ｂ及びユニット右支持部３６Ｃが、当該取付部３６Ａの上側へ突出するように垂設されている。
【００８４】
この場合、連結筐体３６のユニット左支持部３６Ｂは、預払機前後方向と平行な中央部に対し前端部及び後端部が預払機左方向へ直角に屈曲されている。
【００８５】
そして連結筐体３６は、ユニット左支持部３６Ｂの前後の屈曲部分の下側にそれぞれ当該屈曲部分を伸ばしたようなアングル状の所定長さのケース左前支持部３６ＢＸ及びケース左後支持部（図示せず）が下側へ突出するように設けられている。
【００８６】
また連結筐体３６のユニット右支持部３６Ｃは、預払機前後方向と平行な中央部に対し前端部及び後端部が預払機右方向へ直角に屈曲されている。
【００８７】
そして連結筐体３６は、ユニット右支持部３６Ｃの前後の屈曲部分の下側にそれぞれ当該屈曲部分を伸ばしたようなアングル状の所定長さのケース右前支持部３６ＣＸ及びケース右後支持部３６ＣＹが下側へ突出するように設けられている。
【００８８】
ところで、金庫筐体１５の金庫天板１５Ａには、リジェクト庫１７のリジェクト庫搬送部１７Ａに対応させて、左右に長い略長方形状の連結孔部（以下、これをリジェクト庫用連結孔部とも呼ぶ）が穿設されている。
【００８９】
また金庫筐体１５の金庫天板１５Ａには、複数の紙幣収納庫２０乃至２４の収納庫搬送部２０Ａ乃至２４Ａに対応させて、左右に長い略長方形状の複数の連結孔部（以下、これらをそれぞれ収納庫用連結孔部とも呼ぶ）が穿設されている。
【００９０】
さらに金庫筐体１５の金庫天板１５Ａには、左前端部及び左後端部に左前挿入孔部及び左後挿入孔部が穿設されると共に、右前端部及び右後端部に右前挿入孔部及び右後挿入孔部が穿設されている。
【００９１】
そして連結筐体３６は、取付部３６Ａに、金庫天板１５Ａのリジェクト庫用連結孔部に対応する、左右に長い長方形状の取付孔部（以下、これをリジェクト庫用取付孔部とも呼ぶ）が穿設されている。
【００９２】
また連結筐体３６は、取付部３６Ａに、金庫天板１５Ａの最も後の１個の収納庫用連結孔部を除く他の複数の収納庫用連結孔部に対応する、左右に長い長方形状の複数の取付孔部（以下、これらをそれぞれ収納庫用取付孔部とも呼ぶ）も穿設されている。
【００９３】
さらに連結筐体３６は、取付部３６Ａに、金庫天板１５Ａの最も後の１個の収納庫用連結孔部に対応する１個の取付切欠部（以下、これを収納庫用取付切欠部とも呼ぶ）が形成されている。
【００９４】
これにより連結筐体３６は、金庫筐体１５の金庫天板１５Ａに対し、ケース左前支持部３６ＢＸ及びケース左後支持部並びにケース右前支持部３６ＣＸ及びケース右後支持部３６ＣＹを左前挿入孔部及び左後挿入孔部並びに右前挿入孔部及び右後挿入孔部に挿入して取付部３６Ａの下面を当該金庫天板１５Ａに当接させるようにして取り付けられている。
【００９５】
このようにして連結部３５は、連結筐体３６のリジェクト庫用取付孔部及び複数の収納庫用取付孔部並びに収納庫用取付切欠部を、金庫天板１５Ａのリジェクト庫用連結孔部及び複数の収納庫用連結孔部に対向させている。
【００９６】
また連結部３５は、連結筐体３６のケース左前支持部３６ＢＸ及びケース左後支持部並びにケース右前支持部３６ＣＸ及びケース右後支持部３６ＣＹの先端部を金庫筐体１５に差し入れている。
【００９７】
さらに連結部３５は、それぞれ搬送ガイドやローラ等の複数種類の搬送路形成部品を有する複数の紙幣搬送部３９乃至４４を有している。
【００９８】
そして連結部３５は、連結筐体３６に対し複数の紙幣搬送部３９乃至４４が、対応するリジェクト庫用取付孔部及び複数の収納庫用取付孔部並びに収納庫用取付切欠部を介して金庫天板１５Ａのリジェクト庫用連結孔部及び複数の収納庫用連結孔部に１個ずつ挿入するようにして取り付けられている。
【００９９】
ここで、金庫天板１５Ａのリジェクト庫用連結孔部に挿入された紙幣搬送部３９は、複数種類の搬送路形成部品により、リジェクト紙幣を紙幣振分搬送路２８Ａからリジェクト紙幣搬送路１７ＡＸへ受け渡すように一方向に搬送するための搬送路（以下、これを一方向紙幣搬送路とも呼ぶ）３９Ａ（図２）を形成している。
【０１００】
そして一方向紙幣搬送路３９Ａは、上端部が紙幣振分搬送路２８Ａの複数箇所の下端部のうち対応する最も前の１箇所の下端部に接続される。また一方向紙幣搬送路３９Ａは、下端部がリジェクト紙幣搬送路１７ＡＸの上端部に接続される。
【０１０１】
因みに、以下の説明では、連結部３５に設けられ、一方向紙幣搬送路３９Ａを形成する紙幣搬送部３９を、一方向受渡搬送部３９とも呼ぶ。
【０１０２】
また金庫天板１５Ａの複数の収納庫用連結孔部に挿入された複数の紙幣搬送部４０乃至４４は、それぞれ複数種類の搬送路形成部品により、紙幣を紙幣振分搬送路２８Ａから対応する収納紙幣搬送路２０ＡＸ乃至２４ＡＸへ受け渡し、また対応する収納紙幣搬送路２０ＡＸ乃至２４ＡＸから紙幣振分搬送路２８Ａへ受け渡すように双方向に搬送するための搬送路（以下、これを双方向紙幣搬送路とも呼ぶ）４０Ａ乃至４４Ａ（図２）を形成している。
【０１０３】
そして複数の双方向紙幣搬送路４０Ａ乃至４４Ａは、それぞれ上端部が紙幣振分搬送路２８Ａの対応する下端部に接続される。
【０１０４】
また複数の双方向紙幣搬送路４０Ａ乃至４４Ａは、それぞれ下端部が対応する収納紙幣搬送路２０ＡＸ乃至２４ＡＸの上端部に接続される。
【０１０５】
因みに、以下の説明では、連結部３５に設けられ、双方向紙幣搬送路４０Ａ乃至４４Ａを形成する複数の紙幣搬送部４０乃至４４を、それぞれ双方向受渡搬送部４０乃至４４とも呼ぶ。
【０１０６】
ところで、紙幣処理ユニット１１では、前側紙幣搬送路３２Ａ、後側紙幣搬送路３３Ａ及び紙幣振分搬送路２８Ａを介して長方形の紙幣を例えば、一方の短辺を左側に位置させ、かつ他方の短辺を右側に位置させて（すなわち、紙幣の長手方向を預払機左右方向とほぼ平行にして）一方の長辺を搬送方向に向けた搬送姿勢で搬送する。
【０１０７】
なお、以下の説明では、紙幣の長手方向を、紙幣長手方向とも呼び、当該紙幣の短手方向を、紙幣短手方向とも呼ぶ。
【０１０８】
また紙幣処理ユニット１１では、一方向紙幣搬送路３９Ａ、双方向紙幣搬送路４０Ａ乃至４４Ａ、リジェクト紙幣搬送路１７ＡＸ及び複数の収納紙幣搬送路２０ＡＸ乃至２４ＡＸも長方形の紙幣を同様に一方の長辺を搬送方向に向けた搬送姿勢で搬送する。
【０１０９】
よって紙幣処理ユニット１１では、紙幣投入取出部５、鑑別部３０、一時保留部３１、リジェクト庫１７、複数の紙幣収納庫２０乃至２４において紙幣を、その搬送姿勢に応じて一方の短辺を左側に位置させ、かつ他方の短辺を右側に位置させた（すなわち、紙幣長手方向を預払機左右方向とほぼ平行にした）姿勢で取り扱っている。
【０１１０】
実際に制御部１０は、紙幣の入金処理時、顧客により紙幣投入取出部５に入金用の１又は複数の紙幣が投入されると、当該紙幣投入取出部５から１又は複数の紙幣を、１枚ずつ繰り出し前側紙幣搬送路３２Ａを介して鑑別部３０へ搬送して、当該鑑別部３０において、その紙幣の金種や状態等を鑑別させる。
【０１１１】
その結果、制御部１０は、鑑別部３０から正常であると鑑別されて繰り出された紙幣については、後側紙幣搬送路３３Ａを介して一時保留部３１へ搬送して一時的に保持させることにより、当該紙幣の入金を保留する。
【０１１２】
また制御部１０は、鑑別部３０から破損や折れ等により異常であると鑑別されて繰り出された紙幣については、リジェクト紙幣として後側紙幣搬送路３３Ａを介して紙幣投入取出部５へ搬送することにより、顧客に当該紙幣投入取出部５から取り出させるようにして返却する。
【０１１３】
このようにして制御部１０は、鑑別部３０において、紙幣投入取出部５内に投入された入金用の紙幣が全て鑑別されると、正常であると鑑別された紙幣の総額（すなわち、入金の金額）を、タッチスクリーン４を介して顧客に提示する。
【０１１４】
その結果、制御部１０は、入金の金額を確認した顧客によりタッチスクリーン４を介して紙幣の入金が指示されると、一時保留部３１から一時的に保持していた紙幣を、１枚ずつ繰り出し後側紙幣搬送路３３Ａを介して鑑別部３０へ搬送して、当該鑑別部３０において再び、その紙幣の金種や状態等を鑑別させる。
【０１１５】
そして制御部１０は、鑑別部３０から正常であると鑑別されて繰り出された紙幣については、前側紙幣搬送路３２Ａ、紙幣振分搬送路２８Ａ及び双方向紙幣搬送路４０Ａ乃至４４Ａを順次介して当該紙幣の金種に応じた紙幣収納庫２０乃至２４へ搬送する。
【０１１６】
これにより制御部１０は、紙幣収納庫２０乃至２４において紙幣を、収納紙幣搬送路２０ＡＸ乃至２４ＡＸを介して内部に収納させる。
【０１１７】
ただし、制御部１０は、この際、鑑別部３０から異常であると鑑別されて繰り出された紙幣については、リジェクト紙幣として前側紙幣搬送路３２Ａ、紙幣振分搬送路２８Ａ及び一方向紙幣搬送路３９Ａを順次介してリジェクト庫１７へ搬送する。
【０１１８】
これにより制御部１０は、リジェクト庫１７においてリジェクト紙幣を、リジェクト紙幣搬送路１７ＡＸを介して内部に収納させる。
【０１１９】
このようにして制御部１０は、紙幣処理ユニット１１において紙幣の入金処理を実行して、顧客の所望する取引としての紙幣の入金を行うことができる。
【０１２０】
一方、制御部１０は、紙幣の出金処理時、例えば、顧客によりタッチスクリーン４を介して出金の金額が指定されると、紙幣収納庫２０乃至２４の内部から収納紙幣搬送路２０ＡＸ乃至２４ＡＸを介して、当該顧客により指定された金額分の紙幣を１枚ずつ繰り出す。
【０１２１】
また制御部１０は、紙幣収納庫２０乃至２４から１枚ずつ繰り出した紙幣を、双方向紙幣搬送路４０Ａ乃至４４Ａ、紙幣振分搬送路２８Ａ及び前側紙幣搬送路３２Ａを順次介して鑑別部３０へ搬送して、当該鑑別部３０において紙幣の金種や状態等を鑑別させる。
【０１２２】
その結果、制御部１０は、鑑別部３０から正常であると鑑別されて繰り出された紙幣については、後側紙幣搬送路３３Ａを介して紙幣投入取出部５へ搬送する。
【０１２３】
ただし、制御部１０は、この際、鑑別部３０から異常であると鑑別されて繰り出された紙幣については、リジェクト紙幣として後側紙幣搬送路３３Ａ、紙幣振分搬送路２８Ａ及び一方向紙幣搬送路３９Ａを順次介してリジェクト庫１７へ搬送する。
【０１２４】
これにより制御部１０は、リジェクト庫１７においてリジェクト紙幣を、リジェクト紙幣搬送路１７ＡＸを介して内部に収納させて、その後の出金処理には用いないようにする。
【０１２５】
そして制御部１０は、紙幣投入取出部５に、出金用に指定された金額分の紙幣を搬送し終えると、顧客に当該紙幣投入取出部５から、その出金用に指定された金額分の紙幣を取り出させるようにして引き渡す。
【０１２６】
このようにして制御部１０は、紙幣処理ユニット１１において紙幣の出金処理を実行して、顧客の所望する取引としての紙幣の出金を行うことができる。
【０１２７】
ところで、預払機筐体２は、前下端部（すなわち、フロントパネル３の下側）に例えば、左前端部に設けられた図示しないヒンジ部を介して、四角形状の扉（以下、これを預払機扉とも呼ぶ）２ＡＸが開閉可能に（すなわち、この場合は左開で）設けられている。
【０１２８】
また金庫筐体１５は、前端部に例えば、左前端部に設けられた図示しないヒンジ部を介して、四角形状の比較的厚い金属板でなる扉（以下、これを金庫扉とも呼ぶ）１５Ｂが開閉可能に（すなわち、この場合は左開で）設けられている。
【０１２９】
すなわち、金庫筐体１５は、当該金庫筐体１５を形成する複数の金属板のうち前板となる金属板が金庫扉１５Ｂとして開閉可能に設けられている。
【０１３０】
さらに図４に示すように、上部ユニット１３は、ユニット載置部５０を有している。ユニット載置部５０は、前後に長い長方形状の底板５０Ａの左端及び右端に、それぞれ前後に長い短冊状の左側板５０Ｂ及び右側板５０Ｃが垂設されている。
【０１３１】
またユニット載置部５０は、左側板５０Ｂの上端に、前後に長い短冊状の左レール配置板５０ＢＸが預払機左方向に張り出すように設けられると共に、右側板５０Ｃの上端に、前後に長い短冊状の右レール配置板５０ＣＸが預払機右方向に張り出すように設けられている。
【０１３２】
そして上部ユニット１３は、ユニット載置部５０の底板５０Ａに振分搬送部２８が載置されると共に、当該振分搬送部２８に上部筐体２７が載置されている。
【０１３３】
またユニット載置部５０は、左レール配置板５０ＢＸの下面に左上スライドレール５１が、その長手方向を預払機前後方向と平行にして配置されると共に、右レール配置板５０ＣＸの下面に右上スライドレール５２が、その長手方向を預払機前後方向と平行にして配置されている。
【０１３４】
さらに連結部３５の連結筐体３６は、ユニット左支持部３６Ｂの中央部の上端寄りに左上レールガイド５３が、その長手方向を預払機前後方向と平行にして配置されると共に、ユニット右支持部３６Ｃの中央部の上端寄りに右上レールガイド５４が、その長手方向を預払機前後方向と平行にして配置されている。
【０１３５】
そしてユニット載置部５０は、左上スライドレール５１及び右上スライドレール５２が、連結筐体３６の左上レールガイド５３及び右上レールガイド５４に係合されている。
【０１３６】
これにより連結部３５は、上部ユニット１３を、左上レールガイド５３及び右上レールガイド５４並びに左上スライドレール５１及び右上スライドレール５２を介して前後にスライド可能に支持している。
【０１３７】
一方、収納庫装填ケース１６は、例えば、左側板１６Ａが，右側板１６Ｂ、後板１６Ｃ及び前板（図示せず）の高さよりも低く形成されている。
【０１３８】
また収納庫装填ケース１６は、例えば、右側板１６Ｂ、後板１６Ｃ及び前板が等しい高さを有するものの、リジェクト庫１７や複数の紙幣収納庫２０乃至２４の高さよりも僅かに低く形成されている。
【０１３９】
さらに収納庫装填ケース１６は、左側板１６Ａの上端に、前後に長い短冊状の左レール配置板１６ＡＸが預払機左方向に張り出すように設けられると共に、右側板１６Ｂの上端に、前後に長い短冊状の右レール配置板１６ＢＸが預払機右方向に張り出すように設けられている。
【０１４０】
そして収納庫装填ケース１６は、左レール配置板１６ＡＸの下面に左下スライドレール５５が、その長手方向を預払機前後方向と平行にして配置されると共に、右レール配置板１６ＢＸの下面に右下スライドレール５６が、その長手方向を預払機前後方向と平行にして配置されている。
【０１４１】
また連結部３５の連結筐体３６は、ケース左前支持部３６ＢＸ及びケース左後支持部の右面に前後に長いガイド支持板５７が取り付けられている。
【０１４２】
さらに連結部３５の連結筐体３６は、ガイド支持板５７の右面の所定位置に左下レールガイド５８が、その長手方向を預払機前後方向と平行にして配置されている。
【０１４３】
さらにまた連結部３５の連結筐体３６は、ケース右前支持部３６ＣＸ及びケース右後支持部３６ＣＹの左側を向いた面に右下レールガイド５９が、その長手方向を預払機前後方向と平行にして配置されている。
【０１４４】
そして収納庫装填ケース１６は、左下スライドレール５５及び右下スライドレール５６が、連結筐体３６の左下レールガイド５８及び右下レールガイド５９に係合されている。
【０１４５】
これにより連結部３５は、収納庫装填ケース１６を、左下レールガイド５８及び右下レールガイド５９並びに左下スライドレール５５及び右下スライドレール５６を介して前後にスライド可能に支持している。
【０１４６】
よって図５に示すように、預払機筐体２は、作業者に預払機扉２ＡＸを開かせて預払機筐体２内から上部ユニット１３を前側に引き出させ、また上部ユニット１３を預払機筐体２内に押し込むようにして収納させることができる。
【０１４７】
これにより預払機筐体２は、当該預払機筐体２の外部（前側）で上部ユニット１３（すなわち、上部筐体２７内の各部や振分搬送部２８）をメンテナンスさせることができる。
【０１４８】
また図６に示すように、預払機筐体２は、作業者に預払機扉２ＡＸを開かせ、さらに金庫扉１５Ｂを開かせて金庫筐体１５内から収納庫装填ケース１６を前側に引き出させ、また収納庫装填ケース１６を金庫筐体１５内に押し込むようにして収納させることができる。
【０１４９】
これにより預払機筐体２は、金庫筐体１５の外部（預払機筐体２の前側）で収納庫装填ケース１６からリジェクト庫１７を引き抜かせてリジェクト紙幣を回収させ、また収納庫装填ケース１６に空のリジェクト庫１７を装填させることができる。
【０１５０】
また預払機筐体２は、金庫筐体１５の外部（預払機筐体２の前側）で収納庫装填ケース１６から、収納している紙幣が規定枚数以下に減った又は空となった複数の紙幣収納庫２０乃至２４を引き抜かせ、また収納庫装填ケース１６に、複数の紙幣を補充した複数の紙幣収納庫２０乃至２４を装填させることができる。
【０１５１】
ここで連結部３５は、一方向受渡搬送部３９及び複数の双方向受渡搬送部４０乃至４４において振分搬送部２８との搬送路接続部分を金庫天板１５Ａの上側に突出させている。
【０１５２】
またユニット載置部５０の底板５０Ａには、振分搬送部２８において一方向受渡搬送部３９及び複数の双方向受渡搬送部４０乃至４４との複数の搬送路接続部分に対応する孔部が穿設されており、その孔部から当該振分搬送部２８の複数の搬送路接続部分を下側に突出させている。
【０１５３】
よって連結部３５は、預払機筐体２内に上部ユニット１３が収納されている状態では、一方向受渡搬送部３９及び複数の双方向受渡搬送部４０乃至４４の上に振分搬送部２８の対応する搬送路接続部分を位置させる。
【０１５４】
これにより連結部３５は、一方向紙幣搬送路３９Ａの上端部及び複数の双方向紙幣搬送路４０Ａ乃至４４Ａの上端部をそれぞれ紙幣振分搬送路２８Ａの対応する下端部に接続することができる。
【０１５５】
そして上部ユニット１３は、預払機筐体２内から引き出された場合、一方向受渡搬送部３９及び複数の双方向受渡搬送部４０乃至４４の上から振分搬送部２８が前側に移動することで、一方向紙幣搬送路３９Ａの上端部及び複数の双方向紙幣搬送路４０Ａ乃至４４Ａの上端部から紙幣振分搬送路２８Ａの対応する下端部を全て切り離す。
【０１５６】
また連結部３５は、預払機筐体２内に上部ユニット１３が収納されると、再び一方向受渡搬送部３９及び複数の双方向受渡搬送部４０乃至４４の上に振分搬送部２８の対応する搬送路接続部分を位置させる。
【０１５７】
これにより連結部３５は、一方向紙幣搬送路３９Ａの上端部及び複数の双方向紙幣搬送路４０Ａ乃至４４Ａの上端部をそれぞれ紙幣振分搬送路２８Ａの対応する下端部に再び接続することができる。
【０１５８】
一方、連結部３５は、一方向受渡搬送部３９及び複数の双方向受渡搬送部４０乃至４４においてリジェクト庫搬送部１７Ａ及び複数の収納庫搬送部２０Ａ乃至２４Ａとの搬送路接続部分を金庫天板１５Ａの下側（すなわち、金庫筐体１５内）に突出させている。
【０１５９】
また収納庫装填ケース１６は、装填されたリジェクト庫１７の上端部と共に、リジェクト庫搬送部１７Ａにおいて一方向受渡搬送部３９との搬送路接続部分を右側板１６Ｂ、後板１６Ｃ及び前板の上端よりも上側に突出させている。
【０１６０】
さらに収納庫装填ケース１６は、装填された複数の紙幣収納庫２０乃至２４の上端部と共に、複数の収納庫搬送部２０Ａ乃至２４Ａにおいて複数の双方向受渡搬送部４０乃至４４との搬送路接続部分を右側板１６Ｂ、後板１６Ｃ及び前板の上端よりも上側に突出させている。
【０１６１】
よって連結部３５は、金庫筐体１５内に収納庫装填ケース１６が収納されている状態では、一方向受渡搬送部３９及び複数の双方向受渡搬送部４０乃至４４の下に対応するリジェクト庫搬送部１７Ａの搬送路接続部分及び複数の収納庫搬送部２０Ａ乃至２４Ａの搬送路接続部分を位置させる。
【０１６２】
これにより連結部３５は、一方向紙幣搬送路３９Ａの下端部及び複数の双方向紙幣搬送路４０Ａ乃至４４Ａの下端部を対応するリジェクト紙幣搬送路１７ＡＸの上端部及び複数の収納紙幣搬送路２０ＡＸ乃至２４ＡＸの上端部に接続することができる。
【０１６３】
また収納庫装填ケース１６は、上述のように右側板１６Ｂ及び後板１６Ｃの高さがリジェクト庫１７及び複数の紙幣収納庫２０乃至２４の高さよりも低く選定されている。
【０１６４】
このため収納庫装填ケース１６は、金庫筐体１５内から右側板１６Ｂ及び後板１６Ｃを連結部３５に何ら引っ掛けることなく引き出させることができる。
【０１６５】
そして収納庫装填ケース１６は、金庫筐体１５内から引き出されると、一方向受渡搬送部３９及び複数の双方向受渡搬送部４０乃至４４の下からリジェクト庫１７及び複数の紙幣収納庫２０乃至２４が前側に移動することで、一方向紙幣搬送路３９Ａの下端部及び複数の双方向紙幣搬送路４０Ａ乃至４４Ａの下端部から対応するリジェクト紙幣搬送路１７ＡＸの上端部及び複数の収納紙幣搬送路２０ＡＸ乃至２４ＡＸの上端部を全て切り離す。
【０１６６】
また連結部３５は、金庫筐体１５内に収納庫装填ケース１６が収納されると、再び一方向受渡搬送部３９及び複数の双方向受渡搬送部４０乃至４４の下に対応するリジェクト庫搬送部１７Ａの搬送路接続部分及び複数の収納庫搬送部２０Ａ乃至２４Ａの搬送路接続部分を位置させる。
【０１６７】
これにより連結部３５は、一方向紙幣搬送路３９Ａの下端部及び複数の双方向紙幣搬送路４０Ａ乃至４４Ａの下端部を対応するリジェクト紙幣搬送路１７ＡＸの上端部及び複数の収納紙幣搬送路２０ＡＸ乃至２４ＡＸの上端部に再び接続することができる。
【０１６８】
ところで、現金自動預払機１は、工場で、紙幣振分搬送路２８Ａの複数の下端部から対応する一方向紙幣搬送路３９Ａ及び複数の双方向紙幣搬送路４０Ａ乃至４４Ａを介してリジェクト紙幣搬送路１７ＡＸの上端部及び複数の収納紙幣搬送路２０ＡＸ乃至２４ＡＸの上端部までを、それぞれ預払機下方向に沿って直線的に接続するように、上部ユニット１３や複数の双方向受渡搬送部４０乃至４４、一方向受渡搬送部３９、収納庫装填ケース１６が位置決めされて組み立てられている。
【０１６９】
また現金自動預払機１は、このようにして工場で組み立てられた後、国内や海外の銀行の店舗等に設置されて使用される。
【０１７０】
そして現金自動預払機１では、設置場所での使用中に上部ユニット１３や収納庫装填ケース１６が故障すると、その設置場所で例えば、現地の作業者により、故障した上部ユニット１３や収納庫装填ケース１６が新たなものに交換される。
【０１７１】
また現金自動預払機１では、このように上部ユニット１３や収納庫装填ケース１６が故障したものから新たなものへと交換された際、交換後の上部ユニット１３や収納庫装填ケース１６の位置が改めて調整される。
【０１７２】
ここで、現金自動預払機１では、上述のように上部ユニット１３及び収納庫装填ケース１６が共に、金庫筐体１５の金庫天板１５Ａに固定された連結筐体３６に支持されている。
【０１７３】
また現金自動預払機１では、上部ユニット１３及び収納庫装填ケース１６と、連結筐体３６との間に介在するレールガイドやスライドレール（すなわち、左上レールガイド５３や左上スライドレール５１等）が高精度に形成されている。
【０１７４】
このため現金自動預払機１では、設置場所で上部ユニット１３や収納庫装填ケース１６が交換された場合、現地の作業者に、当該上部ユニット１３や収納庫装填ケース１６の預払機左右方向及び預払機上下方向に対する位置については容易に精度良く調整させることができる。
【０１７５】
しかしながら現金自動預払機１では、上部ユニット１３及び収納庫装填ケース１６の預払機前後方向に対する位置については、一方向受渡搬送部３９及び複数の双方向受渡搬送部４０乃至４４のそれぞれについて満足するように調整する必要があり、調整作業が煩雑になる。
【０１７６】
このため現金自動預払機１では、設置場所で上部ユニット１３や収納庫装填ケース１６が交換された場合、現地の作業者により、当該上部ユニット１３及び収納庫装填ケース１６の預払機前後方向に対する位置が、組立時ほどには高精度に調整されない可能性がある。
【０１７７】
すなわち、現金自動預払機１では、設置場所で現地の作業者により、交換後の上部ユニット１３や収納庫装填ケース１６の預払機前後方向に対する位置が調整されても、調整後の位置が組立時の位置から預払機前後方向へ僅かにずれている可能性がある。
【０１７８】
また現金自動預払機１では、銀行の店舗等で例えば、僅かに傾いている床に設置されると、上部ユニット１３や収納庫装填ケース１６の位置が組立時の位置から預払機前後方向へずれる場合がある。
【０１７９】
このような場合も現金自動預払機１では、設置場所で例えば、現地の作業者により上部ユニット１３や収納庫装填ケース１６の預払機前後方向に対する位置が改めて調整される。
【０１８０】
しかしながら現金自動預払機１では、この際も上述の故障による交換時と同様に、上部ユニット１３や収納庫装填ケース１６の調整後の位置が組立時の位置から預払機前後方向へ僅かにずれている可能性がある。
【０１８１】
このため現金自動預払機１では、上部ユニット１３や収納庫装填ケース１６の位置が組立時の位置から預払機前後方向へ僅かにずれていても、連結部３５の一方向受渡搬送部３９及び複数の双方向受渡搬送部４０乃至４４が、一方向紙幣搬送路３９Ａ及び複数の双方向紙幣搬送路４０Ａ乃至４４Ａを紙幣振分搬送路２８Ａの対応する下端部やリジェクト紙幣搬送路１７ＡＸの上端部及び複数の収納紙幣搬送路２０ＡＸ乃至２４ＡＸの上端部に接続可能なように形成されている。
【０１８２】
（１−３）連結部の構成
次いで、連結部３５の構成について説明する。連結部３５は、図３及び図４について上述したように連結筐体３６に一方向受渡搬送部３９及び複数の双方向受渡搬送部４０乃至４４が預払機後方向に沿って順に取り付けられている。
【０１８３】
この場合、複数の双方向受渡搬送部４０乃至４４は、基本的には同様に構成されている。ただし複数の双方向受渡搬送部４０乃至４４のうち最も前に位置する１個の双方向受渡搬送部４０及び最も後に位置する１個の双方向受渡搬送部４４は、他の複数の双方向受渡搬送部４１乃至４３に比して一部の部品を除いて構成されている。
【０１８４】
このため複数の双方向受渡搬送部４０乃至４４の構成としては、例えば、前から２番目に位置する１個の双方向受渡搬送部４１の構成について具体的に説明する。
【０１８５】
また他の複数の双方向受渡搬送部４０、４２乃至４４の構成については、前から２番目に位置する１個の双方向受渡搬送部４１とは異なる部分のみを説明する。
【０１８６】
図７乃至図９に示すように、前から２番目に位置する双方向受渡搬送部４１には、例えば、ほぼ同一形状の略Ｌ字状の一対の金属板を組み合わせて左右に長い長方形状の枠部６０Ａを有するように形成された搬送部筐体６０が設けられている。
【０１８７】
搬送部筐体６０は、前板６０Ｂ及び後板６０Ｃの長さが紙幣の長辺の長さよりも長い所定の長さに選定されると共に、左側板６０Ｄ及び右側板６０Ｅの長さが前板６０Ｂ及び後板６０Ｃの長さよりも短い所定の長さに選定されている。
【０１８８】
また搬送部筐体６０の前板６０Ｂは、前寄り及び後寄りにそれぞれ形成された溝を利用して上端中央部（すなわち、中央の上半分）を預払機前方向へ直角に折り曲げることにより、当該前板６０Ｂから前側に突出する前側取付部６０ＢＸが設けられると共に、その上端中央部に前側凹部６０ＢＹが設けられている。
【０１８９】
さらに搬送部筐体６０の後板６０Ｃは、前寄り及び後寄りにそれぞれ形成された溝を利用して上端中央部（すなわち、中央の上半分）を預払機後方向へ直角に折り曲げるようにして、当該後板６０Ｃから後側に突出する後側取付部６０ＣＸが設けられると共に、その上端中央部に後側凹部６０ＣＹが設けられている。
【０１９０】
そして搬送部筐体６０は、前板６０Ｂの前側凹部６０ＢＹ及び後板６０Ｃの後側凹部６０ＣＹの長さ（すなわち、預払機左右方向の長さ）が、紙幣の長辺の長さ以上の互いに等しい所定長さに選定されている。
【０１９１】
また搬送部筐体６０の左側板６０Ｄ及び右側板６０Ｅは、互いの内面（すなわち、対向する面）の中心よりも前側の対向位置に一対の左前軸受部６１及び右前軸受部（図示せず）が取り付けられている。
【０１９２】
さらに搬送部筐体６０の左側板６０Ｄ及び右側板６０Ｅは、互いの内面の中心よりも後側の対向位置に軸受取付孔部が穿設され、一対の左後軸受部６２及び右後軸受部（図示せず）が、これら軸受取付孔部に挿入するようにして取り付けられている。
【０１９３】
これにより搬送部筐体６０は、一対の左前軸受部６１及び右前軸受部の中心孔に前側ローラ軸６３の一端部及び他端部を挿入するようにして、当該一対の左前軸受部６１及び右前軸受部を介して前側ローラ軸６３を預払機左右方向と平行にして矢印ｄ１に示す一回転方向、及びこれとは逆の他回転方向に回動可能に支持している。
【０１９４】
また搬送部筐体６０は、一対の左後軸受部６２及び右後軸受部の中心孔に後側ローラ軸６４の一端部及び他端部を挿入するようにして、当該一対の左後軸受部６２及び右後軸受部を介して後側ローラ軸６４を預払機左右方向と平行にして一回転方向及び他回転方向に回動可能に支持している。
【０１９５】
そして前側ローラ軸６３は、搬送部筐体６０の左側板６０Ｄ及び右側板６０Ｅ間の中心位置から左側及び右側のそれぞれ等距離の位置に一対の前側ローラ６５（一方のみ図示して他方は図示せず）が取り付けられている。
【０１９６】
また後側ローラ軸６４は、前側ローラ軸６３に取り付けられた一対の前側ローラ６５と対向する位置に一対の後側ローラ６７、６８が取り付けられ、当該一対の後側ローラ６７、６８の周側面の一部を一対の前側ローラ６５の周側面の一部に押し付けている。
【０１９７】
さらに搬送部筐体６０は、左右に長い略コ字状の一対の前側ガイド保持部７０及び後側ガイド保持部７１を有している。
【０１９８】
前側ガイド保持部７０は、略短冊状の背板部７０Ａを前側に位置させ、当該背板部７０Ａの左端及び右端から後側に突出する左板部７０Ｂ及び右板部７０Ｃを介して一対の左前軸受部６１及び右前軸受部に、前側ローラ軸６３の回動からは独立して一回転方向及び他回転方向へ回動可能に取り付けられている。
【０１９９】
すなわち、搬送部筐体６０は、一対の左前軸受部６１及び右前軸受部を介して前側ガイド保持部７０を、前側ローラ軸６３を回動中心にするものの、当該前側ローラ軸６３からは独立して一回転方向及び他回転方向へ回動可能に支持している。
【０２００】
また後側ガイド保持部７１は、略アングル状の背板部７１Ａを後側に位置させ、当該背板部７１Ａの左端及び右端から前側に突出する平板状の左板部７１Ｂ及び右板部７１Ｃを介して一対の左後軸受部６２及び右後軸受部に、後側ローラ軸６４の回動からは独立して一回転方向及び他回転方向へ回動可能に取り付けられている。
【０２０１】
すなわち、搬送部筐体６０は、一対の左後軸受部６２及び右後軸受部を介して後側ガイド保持部７１を、後側ローラ軸６４を回動中心にするものの、当該後側ローラ軸６４からは独立して一回転方向及び他回転方向へ回動可能に支持している。
【０２０２】
そして前側ガイド保持部７０は、紙幣の長辺の長さ以上の所定の長さを有する断面略Ｊ字状の搬送ガイド７２が、根元部を前側ローラ軸６３よりも後側に位置させて当該前側ガイド保持部７０の背板部７０Ａと平行にし、かつ先端部を当該根元部の前斜上で前側凹部６０ＢＹの底縁よりも上側に位置させるようにして取り付けられている。
【０２０３】
これにより搬送部筐体６０は、前側ガイド保持部７０と共に、当該前側ガイド保持部７０に保持された（すなわち、取り付けられた）搬送ガイド７２を一回転方向及び他回転方向へ回動可能に支持している。
【０２０４】
因みに、以下の説明では、前側ガイド保持部７０に保持され、一体に回動する搬送ガイド７２を、前側可動ガイド７２とも呼ぶ。
【０２０５】
前側可動ガイド７２は、根元部の一面の下縁部分が前斜下に徐々に傾斜するように弓形状に形成されると共に、先端部及び根元部の一面全体が預払機左方向に沿って櫛歯状に形成されている。
【０２０６】
一方、後側ガイド保持部７１には、前側可動ガイド７２の長さと等しい長さを有する断面略Ｊ字状の搬送ガイド７３が、根元部を後側ローラ軸６４よりも前側に位置させて当該後側ガイド保持部７１の背板部７１Ａと平行にし、かつ先端部を当該根元部の後斜上で後側凹部６０ＣＹの底縁よりも上側に位置させるようにして取り付けられている。
【０２０７】
これにより搬送部筐体６０は、後側ガイド保持部７１と共に、当該後側ガイド保持部７１に保持された（すなわち、取り付けられた）搬送ガイド７３を一回転方向及び他回転方向へ回動可能に支持している。
【０２０８】
因みに、以下の説明では、後側ガイド保持部７１に保持され、一体に回動する搬送ガイド７３を、後側可動ガイド７３とも呼ぶ。
【０２０９】
後側可動ガイド７３は、根元部の一面の下縁部分が後斜下に徐々に傾斜するように弓形状に形成されると共に、先端部及び根元部の一面全体が預払機左方向に沿って櫛歯状に形成されている。
【０２１０】
また搬送部筐体６０は、一対の左前軸受部６１及び右前軸受部に、紙幣の長辺の長さ以上の所定の長さを有する断面略Ｔ字状の搬送ガイド７４が、前側ローラ軸の後斜下で腕部の平坦な一面を垂直して後側に向け、かつ胴体部を当該腕部よりも前側に位置させて固定されている。
【０２１１】
因みに、以下の説明では、搬送部筐体６０の一対の左前軸受部６１及び右前軸受部に固定された搬送ガイド７４を、前側固定ガイド７４とも呼ぶ。
【０２１２】
前側固定ガイド７４は、腕部の一面の上縁部分が前斜上に徐々に傾斜するように弓形状に形成されると共に、当該腕部の一面の下縁部分が前斜下に徐々に傾斜するように弓形状に形成されている。
【０２１３】
また前側固定ガイド７４は、腕部の一面全体が預払機左方向に沿って櫛歯状に形成され、当該腕部の上端部を前側可動ガイド７２の根元部と噛み合わせるように嵌合させると共に、下端部を搬送部筐体６０の枠部６０Ａから下側に突出させている。
【０２１４】
さらに搬送部筐体６０は、一対の左後軸受部６２及び右後軸受部に、前側固定ガイド７４の長さと等しい長さを有する断面略Ｔ字状の搬送ガイド７５が、後側ローラ軸６４の前斜下で腕部の平坦な一面を垂直して当該前側固定ガイド７４の腕部の一面と対向させ（すなわち、前側に向け）、かつ胴体部を腕部よりも後側に位置させて固定されている。
【０２１５】
因みに、以下の説明では、搬送部筐体６０の一対の左後軸受部６２及び右後軸受部に固定された搬送ガイド７５を、後側固定ガイド７５とも呼ぶ。
【０２１６】
すなわち、搬送部筐体６０には、前側固定ガイド７４と後側固定ガイド７５とが、互い腕部の一面を所定の間隔（例えば、５［ｍｍ］程度の間隔）で平行にして固設されている。
【０２１７】
後側固定ガイド７５は、腕部の一面の上縁部分が後斜上に徐々に傾斜するように弓形状に形成されると共に、当該腕部の一面の下縁部分が後斜下に徐々に傾斜するように弓形状に形成されている。
【０２１８】
また後側固定ガイド７５は、腕部の一面全体が預払機左方向に沿って櫛歯状に形成され、当該腕部の上端部を後側可動ガイド７３の根元部と噛み合わせるように嵌合させると共に、下端部を搬送部筐体６０の枠部６０Ａから下側に突出させている。
【０２１９】
このようにして搬送部筐体６０には、前側固定ガイド７４が、前側可動ガイド７２の根元部の一面の平坦な部分を垂直にした場合に、当該根元部の一面の平坦な部分と前側固定ガイド７４の腕部の一面の平坦な部分とを面一にするように固定されている。
【０２２０】
また搬送部筐体６０には、後側固定ガイド７５が、後側可動ガイド７３の根元部の一面の平坦な部分を垂直にした場合に、当該根元部の一面の平坦な部分と後側固定ガイド７５の腕部の一面の平坦な部分とを面一にするように固定されている。
【０２２１】
そして前側可動ガイド７２は、先端部及び根元部の一面全体において、一対の前側ローラ６５と対向する位置にそれぞれ孔部が穿設されている。
【０２２２】
また前側固定ガイド７４は、腕部及び胴体部において、一対の前側ローラ６５と対向する位置にそれぞれ切欠部が形成されている。
【０２２３】
これにより前側可動ガイド７２及び前側固定ガイド７４は、一対の前側ローラ６５の周側面の後側の部分を、対応する孔部及び切欠部を介して当該前側可動ガイド７２の根元部の一面及び前側固定ガイド７４の腕部の一面から後側に突出させている。
【０２２４】
さらに後側可動ガイド７３は、先端部及び根元部の一面全体において、一対の後側ローラ６７、６８と対向する位置にそれぞれ孔部が穿設されている。
【０２２５】
さらにまた後側固定ガイド７５は、腕部及び胴体部において、一対の後側ローラ６７、６８と対向する位置にそれぞれ切欠部が形成されている。
【０２２６】
これにより後側可動ガイド７３及び後側固定ガイド７５は、一対の後側ローラ６７、６８の周側面の後側の部分を、対応する孔部及び切欠部を介して当該後側可動ガイド７３の根元部の一面及び後側固定ガイド７５の腕部の一面から前側に突出させている。
【０２２７】
これに加えて搬送部筐体６０は、左側板６０Ｄ及び右側板６０Ｅの上端中央部に所定の同一深さの左切欠部６０ＤＸ及び右切欠部６０ＥＸが形成されている。
【０２２８】
そして前側ガイド保持部７０は、左板部７０Ｂの外面において、前側可動ガイド７２の根元部の一面の平坦な部分を垂直にした（すなわち、預払機上下方向と平行にした）場合に前側ローラ軸６３の真上となる縁部に円柱状の左前側連結ピン７７が植設されている。
【０２２９】
また前側ガイド保持部７０は、右板部７０Ｃの外面において、前側可動ガイド７２の根元部の一面の平坦な部分を垂直にした（すなわち、預払機上下方向と平行にした）場合に前側ローラ軸６３の真上となる縁部にも円柱状の右前側連結ピン７８が植設されている。
【０２３０】
さらに後側ガイド保持部７１は、左板部７１Ｂの外面において、後側可動ガイド７３の根元部の一面の平坦な部分を垂直にした（すなわち、預払機上下方向と平行にした）場合に後側ローラ軸６４の真上となる縁部に円柱状の左後側連結ピン７９が植設されている。
【０２３１】
さらにまた後側ガイド保持部７１は、右板部７１Ｃの外面において、後側可動ガイド７３の根元部の一面の平坦な部分を垂直にした（すなわち、預払機上下方向と平行にした）場合に後側ローラ軸６４の真上となる縁部にも円柱状の右後側連結ピン８０が植設されている。
【０２３２】
そして前側ガイド保持部７０及び後側ガイド保持部７１の左前側連結ピン７７及び左後側連結ピン７９は、略短冊状の左側連結板８１の一端部及び他端部に穿設された孔部に挿入されている。
【０２３３】
また前側ガイド保持部７０及び後側ガイド保持部７１の右前側連結ピン７８及び右後側連結ピン８０は、略短冊状の右側連結板８２の一端部及び他端部に穿設された孔部に挿入されている。
【０２３４】
これにより前側ガイド保持部７０及び後側ガイド保持部７１は、左側連結板８１及び右側連結板８２を介して連結されている。
【０２３５】
ところで、左側連結板８１及び右側連結板８２は、前側ローラ軸６３及び後側ローラ軸６４の中心間距離よりも僅かに長い所定長さに選定されると共に、一端部及び他端部の孔部の中心間距離が当該前側ローラ軸６３及び後側ローラ軸６４の中心間距離と等しく選定されている。
【０２３６】
従って左側連結板８１及び右側連結板８２は、前側ガイド保持部７０及び後側ガイド保持部７１を介して前側可動ガイド７２及び後側可動ガイド７３を互いの根元部を平行にした状態で連結している。
【０２３７】
すなわち、左側連結板８１及び右側連結板８２は、前側可動ガイド７２及び後側可動ガイド７３を互いの根元部を、前側固定ガイド７４及び後側固定ガイド７５の腕部の間隔と等しい間隔で平行にした状態で連結している。
【０２３８】
これにより図１０（Ａ）及び（Ｂ）に示すように、前側可動ガイド７２及び後側可動ガイド７３は、左側連結板８１及び右側連結板８２と共に、前側ローラ軸６３及び後側ローラ軸６４を回動中心とする平行リンクを形成している。
【０２３９】
よって前側可動ガイド７２及び後側可動ガイド７３は、左側連結板８１及び右側連結板８２の連結により、互いの根元部を、前側固定ガイド７４及び後側固定ガイド７５の腕部の間隔と等しい間隔で平行にしたまま、前側ローラ軸６３及び後側ローラ軸６４を回動中心として一回転方向及び他回転方向へ回動することができる。
【０２４０】
このようにして双方向受渡搬送部４１は、前側可動ガイド７２及び後側可動ガイド７３並びに前側固定ガイド７４及び後側固定ガイド７５と、一対の前側ローラ６５及び一対の後側ローラ６７、６８とにより、前側可動ガイド７２及び後側可動ガイド７３の間並びに前側固定ガイド７４及び後側固定ガイド７５の間に、紙幣を一対の前側ローラ６５及び一対の後側ローラ６７、６８を介して搬送する双方向紙幣搬送路４１Ａを形成している。
【０２４１】
すなわち、双方向受渡搬送部４１は、前側可動ガイド７２及び後側可動ガイド７３の間並びに前側固定ガイド７４及び後側固定ガイド７５の間に、当該前側可動ガイド７２及び後側可動ガイド７３（前側固定ガイド７４及び後側固定ガイド７５）の預払機左右方向の長さを搬送路横幅とし、かつ、これらの間隔を搬送路縦幅とする双方向紙幣搬送路４１Ａを形成している。
【０２４２】
そして双方向受渡搬送部４１では、上述のように前側可動ガイド７２及び後側可動ガイド７３の根元部の一面の下縁部分が、互いの間隔を徐々に広げるように弓形状に形成されている。
【０２４３】
また双方向受渡搬送部４１では、前側固定ガイド７４及び後側固定ガイド７５の腕部の上端部も、互いの間隔を徐々に広げるように弓形状に形成されている。
【０２４４】
そのうえで双方向受渡搬送部４１では、前側可動ガイド７２及び後側可動ガイド７３の根元部と前側固定ガイド７４及び後側固定ガイド７５の腕部とを櫛歯状の部分を噛み合わせるように嵌合させている。
【０２４５】
さらに双方向受渡搬送部４１は、前側可動ガイド７２及び後側可動ガイド７３を、前側固定ガイド７４及び後側固定ガイド７５の間隔と等しい間隔で平行にしたまま回動可能にしている。
【０２４６】
よって双方向受渡搬送部４１は、前側可動ガイド７２及び後側可動ガイド７３を垂直な姿勢から前側や後側へ傾けた場合でも、当該前側可動ガイド７２及び後側可動ガイド７３と前側固定ガイド７４及び後側固定ガイド７５との嵌合部分で、双方向紙幣搬送路４１Ａ内に、これらの根元部や腕部が突出することを防止している。
【０２４７】
ところで、搬送部筐体６０は、例えば、後板６０Ｃの内面に、左右に長い短冊状のばね係止板８３が、その上端部を後側凹部６０ＣＹの縁から僅かに上に突出させるようにして（すなわち、後側凹部６０ＣＹの縁よりも上で、かつ前側可動ガイド７２及び後側可動ガイド７３の先端部よりも下に位置させるようにして）取り付けられている。
【０２４８】
そして搬送部筐体６０は、例えば、ばね係止板８４の前面において後側ローラ軸６４よりも上側の所定位置に、圧縮コイルばね（又はトーションばね）のような一対のばね８４Ａ、８４Ｂの一端が係止されると共に、後側ガイド保持部７１の背板部７１Ａの所定位置（すなわち、後側ローラ軸６４よりも上側の所定位置）に当該ばね８４Ａ、８４Ｂの他端が係止されている。
【０２４９】
これにより搬送部筐体６０は、ばね８４Ａ、８４Ｂにより後側ガイド保持部７１において後側ローラ軸６４よりも上側の所定位置を前側に押すようにしている。
【０２５０】
よって搬送部筐体６０は、ばね８４Ａ、８４Ｂにより後側ガイド保持部７１を、後側ローラ軸６４を中心にして一回転方向へ回転させるように付勢すると共に、これに伴い、当該後側ガイド保持部７１に連結された前側ガイド保持部７０も前側ローラ軸６３を中心にして一回転方向へ回転させるように付勢している。
【０２５１】
そして搬送部筐体６０は、後述するように預払機筐体２から上部ユニット１３が引き出された状態では、ばね８４Ａ、８４Ｂの付勢により後側ガイド保持部７１と共に前側ガイド保持部７０を一回転方向へ回転させて、前側可動ガイド７２及び後側可動ガイド７３を垂直な姿勢から前側に傾斜させている。
【０２５２】
また搬送部筐体６０は、例えば、右側板６０Ｅの後端部にレバー挿入孔部が穿設されている。さらに後側ガイド保持部７１の背板部７１Ａには、双方向受渡搬送部４１に対応する振分搬送部２８の搬送路接続部分の位置に応じて当該後側ガイド保持部７１を回転させるための回転制御レバー８５が取り付けられている。
【０２５３】
この場合、回転制御レバー８５は、所定長さの短冊板状の腕部の根元部分が後側ガイド保持部７１の背板部７１Ａに接合され、当該腕部の先端部分を搬送部筐体６０の右側板６０Ｅのレバー挿入孔部に通して右側に突出させている。
【０２５４】
また回転制御レバー８５は、腕部の先端に略Ｌ字板状の受部が、当該腕部から上側に立ち上がり、その受突起を前側に向けるようにして設けられている。そして回転制御レバー８５は、受部の形状及び寸法が適宜選定されている。
【０２５５】
これにより回転制御レバー８５は、後側ガイド保持部７１に対し例えば、受突起の先端を、前側可動ガイド７２及び後側可動ガイド７３の搬送路縦幅の方向と垂直で、かつ当該前側可動ガイド７２及び後側可動ガイド７３の搬送路縦幅のセンターに位置するような仮想平面と面一にして取り付けられている。
【０２５６】
また搬送部筐体６０は、左右に長いピン保持部８６を有している。ピン保持部８６は、略コ字状の胴体板の下端部に短冊状のピン取付板が後側に突出するように設けられている。
【０２５７】
そしてピン保持部８６は、ピン取付板の下面の左寄り及び右寄りの所定位置にそれぞれ円柱状の左側位置決めピン８７及び右側位置決めピン８８が下側に突出するように植設されている。
【０２５８】
この場合、左側位置決めピン８７及び右側位置決めピン８８は、それぞれ先端部が、先端にかけて徐々に径を細くするようにテーパ状に形成されている。
【０２５９】
またピン保持部８６は、ピン取付板の左端及び右端にそれぞれ短冊状の左側軸取付板及び右側軸取付板が後側に突出するように設けられている。
【０２６０】
そしてピン保持部８６は、左側軸取付部の外面に例えば、直径の等しい２本の左上ガイド軸（図示せず）及び左下ガイド軸９０が、預払機下方向に沿って所定の間隔で植設されている。
【０２６１】
またピン保持部８６は、右側軸取付部の外面にも、例えば、直径の等しい２本の右上ガイド軸及び右下ガイド軸（何れも図示せず）が、預払機下方向に沿って所定の間隔で植設されている。
【０２６２】
そして搬送部筐体６０は、左側板６０Ｄ及び右側板６０Ｅの前端部に上下に長い左側昇降ガイド孔部及び右側昇降ガイド孔部が対向させて穿設されている。
【０２６３】
よってピン保持部８６は、前側ガイド保持部７０と搬送部筐体６０の前板６０Ｂとの間にピン取付板を介在させた状態で左上ガイド軸及び左下ガイド軸９０を左側板６０Ｄの左側昇降ガイド孔部に通して左側に突出させると共に、右上ガイド軸及び右下ガイド軸を右側板６０Ｅの右側昇降ガイド孔部に通して右側に突出させている。
【０２６４】
そのうえでピン保持部８６は、左上ガイド軸及び左下ガイド軸９０に、それぞれ直径の等しいガイドローラ９１、９２が、当該左上ガイド軸及び左下ガイド軸９０を中心にして回動可能に取り付けられて搬送部筐体６０の左側板６０Ｄの左側昇降ガイド孔部に係合されている。
【０２６５】
またピン保持部８６は、右上ガイド軸及び右下ガイド軸にも、それぞれ直径の等しいガイドローラ（何れも図示せず）が、当該右上ガイド軸及び右下ガイド軸を中心にして回動可能に取り付けられて搬送部筐体６０の右側板６０Ｅの右側昇降ガイド孔部に係合されている。
【０２６６】
これにより搬送部筐体６０は、ピン保持部８６を上下に昇降可能に保持して、当該ピン保持部８６を下降させて左側位置決めピン８７及び右側位置決めピン８８を枠部６０Ａの下側に突き出し、また上昇させて当該左側位置決めピン８７及び右側位置決めピン８８を枠部６０Ａ内に収納することができる。
【０２６７】
因みに、ピン保持部８６は、上昇して左側位置決めピン８７及び右側位置決めピン８８を搬送部筐体６０の枠部６０Ａ内に収納した状態では、胴体板が当該搬送部筐体６０の前側凹部６０ＢＹの底縁よりも上側に突出しないように当該胴体部の高さが適宜選定されている。
【０２６８】
また搬送部筐体６０は、左側板６０Ｄ及び右側板６０Ｅの外面において一対の左後軸受部６２及び右後軸受部の後斜下に左側軸挿入孔部及び右側軸挿入孔部が対向させて穿設されている。
【０２６９】
そして搬送部筐体６０は、レバー回動軸９４が左側板６０Ｄの左側軸挿入孔部から右側板６０Ｅの右側軸挿入孔部にかけて挿入されている。
【０２７０】
これにより搬送部筐体６０は、レバー回動軸９４の一端部を左側軸挿入孔部から左側に突出させると共に、他端部を右側軸挿入孔部から右側に突出させて、当該レバー回動軸９４を左側軸挿入孔部及び右側軸挿入孔部を介して一回転方向及び他回転方向へ回動可能に支持している。
【０２７１】
また搬送部筐体６０は、ピン保持部８６と共に左側位置決めピン８７及び右側位置決めピン８８の昇降を制御するための略アングル状の一対の左側昇降制御レバー９５及び右側昇降制御レバー９６を有している。
【０２７２】
この場合、左側昇降制御レバー９５は、略コ字平板状の筐体取付部の下端に略Ｌ字平板状の連結部が左側に突出するように設けられている。
【０２７３】
左側昇降制御レバー９５は、筐体取付部の後端部に左側及び前側へと順に折り返すようにして形成された略コ字状の軸係止部が設けられている。
【０２７４】
そして左側昇降制御レバー９５は、軸係止部の左板及び右板に一対の軸係止孔部が対向させて穿設され、当該一対の軸係止孔部にレバー回動軸９４の一端部が右から順に差し込まれて係止されている。
【０２７５】
これにより搬送部筐体６０は、左側昇降制御レバー９５を、レバー回動軸９４を中心にして一回転方向及び他回転方向へ回動可能に支持している。
【０２７６】
また左側昇降制御レバー９５は、筐体取付部の前端部に軸係合孔部が穿設され、当該軸係合孔部にピン保持部８６の左下ガイド軸９０が挿入されて係合されている。
【０２７７】
さらに搬送部筐体６０は、左側板６０Ｄの上端前寄り（すなわち、左側昇降ガイド孔部の真上）に左側ばね係止部６０ＤＹが左側に突出するように設けられている。
【０２７８】
そして左側昇降制御レバー９５は、コイルばね９７の一端部が、左下ガイド軸９０において筐体取付部の左側に突出した部分に係止されると共に、当該コイルばね９７の他端部が搬送部筐体６０の左側ばね係止部６０ＤＹに係止されている。
【０２７９】
これにより左側昇降制御レバー９５は、コイルばね９７により左下ガイド軸９０と共に筐体取付部を上側に引き上げるようにして他回転方向へ回転するように付勢されている。
【０２８０】
さらに左側昇降制御レバー９５は、連結部の左側突出部の先端にピン取付部が下側に突出するように設けられ、当該ピン取付部の左側を向く外面に円柱状の連結ピン９８が、左側へ突出するように植設されている。
【０２８１】
一方、右側昇降制御レバー９６は、左側昇降制御レバー９５を左右反転させたような構成と基本的には同様に構成されている。
【０２８２】
すなわち、右側昇降制御レバー９６は、略コ字平板状の筐体取付部の下端に略Ｌ字平板状の連結部が右側に突出するように設けられている。
【０２８３】
右側昇降制御レバー９６は、筐体取付部の後端部に右側及び前側へと順に折り返すようにして形成された略コ字状の軸係止部が設けられている。
【０２８４】
そして右側昇降制御レバー９６は、軸係止部の左板及び右板に一対の軸係止孔部が対向させて穿設され、左側昇降制御レバー９５と姿勢を合わせた状態で当該一対の軸係止孔部にレバー回動軸９４の他端部が左から順に差し込まれて係止されている。
【０２８５】
これにより搬送部筐体６０は、左側昇降制御レバー９５と共に右側昇降制御レバー９６も互いの姿勢を合わせた状態でレバー回動軸９４を中心にして一回転方向及び他回転方向へ回動可能に支持している。
【０２８６】
また右側昇降制御レバー９６は、筐体取付部の前端部に軸係合孔部が穿設され、当該軸係合孔部にピン保持部８６の右下ガイド軸が挿入されて係合されている。
【０２８７】
さらに搬送部筐体６０は、右側板６０Ｅの上端前寄り（すなわち、右側昇降ガイド孔部の真上）に右側ばね係止部６０ＥＹが右側に突出するように設けられている。
【０２８８】
そして右側昇降制御レバー９６は、上述のコイルばね９７と同様な弾性力を有するコイルばね９９の一端部が、右下ガイド軸において筐体取付部の右側に突出した部分に係止されると共に、当該コイルばね９９の他端部が搬送部筐体６０の右側ばね係止部６０ＥＹに係止されている。
【０２８９】
これにより右側昇降制御レバー９６は、コイルばね９９により右下ガイド軸と共に筐体取付部を上側に引き上げるようにして他回転方向へ回転するように付勢されている。
【０２９０】
因みに、右側昇降制御レバー９６は、左側昇降制御レバー９５とは異なり、連結部の右側突出部の長さが短く、かつピン取付部及び連結ピンが設けられずに構成されている。
【０２９１】
係る構成により搬送部筐体６０は、左側昇降制御レバー９５及び右側昇降制御レバー９６を互いの姿勢を合わせた状態で一回転方向及び他回転方向へ回転させる。
【０２９２】
よって搬送部筐体６０は、左側昇降制御レバー９５及び右側昇降制御レバー９６の回転に連動させてピン保持部８６を、当該ピン保持部８６の長手方向を預払機左右方向とほぼ平行にしたまま（すなわち、左側位置決めピン８７及び右側位置決めピン８８の長手方向を預払機上下方向とほぼ平行にしたまま）上昇及び下降させることができる。
【０２９３】
そして図１１に示すように、搬送部筐体６０は、左側昇降制御レバー９５及び右側昇降制御レバー９６が共に他回転方向へ回転すると、これに連動させてピン保持部８６を押し上げるようにして上昇させて左側位置決めピン８７及び右側位置決めピン８８を枠部６０Ａ内に収納することができる。
【０２９４】
また図１２に示すように、搬送部筐体６０は、左側昇降制御レバー９５及び右側昇降制御レバー９６が共に一回転方向へ回転すると、これに連動させてピン保持部８６を引き下げるようにして下降させて左側位置決めピン８７及び右側位置決めピン８８を枠部６０Ａから突き出させることができる。
【０２９５】
さらに搬送部筐体６０は、例えば、左側板６０Ｄの外面において後側ローラ軸６４よりも下側で、かつ当該後側ローラ軸６４よりも前側及び後側のそれぞれ等距離の位置に前側プーリ支持軸１００及び後側プーリ支持軸１０１が植設されている。
【０２９６】
そして双方向受渡搬送部４１の搬送部筐体６０は、図３について上述したように前側取付部６０ＢＸ及び後側取付部６０ＣＸを介して連結筐体３６に取り付けられ、前側可動ガイド７２及び後側可動ガイド７３の先端部を金庫天板１５Ａの上側に突出させると共に、前側固定ガイド７４及び後側固定ガイド７５の腕部の下端部を当該金庫天板１５Ａの下側に突出させている。
【０２９７】
ところで、複数の双方向受渡搬送部４０乃至４４のうち、前から３番目及び４番目に位置する双方向受渡搬送部４２及び４３は、前から２番目に位置する上述の双方向受渡搬送部４１と同様に構成されている。
【０２９８】
また最も前に位置する１個の双方向受渡搬送部４０は、搬送部筐体に前側プーリ支持軸１００が設けられていない点を除いて、前から２番目に位置する上述の双方向受渡搬送部４１と同様に構成されている。
【０２９９】
さらに最も後に位置する１個の双方向受渡搬送部４４は、搬送部筐体に後側プーリ支持軸１０１が設けられていない点を除いて、前から２番目に位置する上述の双方向受渡搬送部４１と同様に構成されている。
【０３００】
すなわち、図３及び図１３に示すように、複数の双方向受渡搬送部４０乃至４４は、後側ローラ軸６４において搬送部筐体６０の左側板６０Ｄから左側に突出している部分に左右に２本の駆動ベルト１０５をかけることが可能な駆動プーリ１０７が取り付けられている。
【０３０１】
また複数の双方向受渡搬送部４０乃至４４は、前側プーリ支持軸１００及び後側プーリ支持軸１０１にそれぞれ１本の駆動ベルトにテンションをかけるためのテンションプーリ１０８が一回転方向及び他回転方向に回動可能に取り付けられている。
【０３０２】
これにより複数の双方向受渡搬送部４０乃至４４は、例えば、１個前の双方向受渡搬送部４０乃至４３との間で共に駆動プーリ１０７の右側に駆動ベルト１０５がかけられた場合、１個後の双方向受渡搬送部４１乃至４４との間では共に駆動プーリ１０７の左側に駆動ベルト１０５がかけられている。
【０３０３】
また複数の双方向受渡搬送部４０乃至４４は、駆動プーリ１０７にかけられた駆動ベルト１０５の下側をテンションプーリ１０８で押し上げるようにして、当該駆動ベルト１０５に所定のテンションをかけている。
【０３０４】
そして複数の双方向受渡搬送部４０乃至４４のうち例えば、最も前に位置する１個の双方向受渡搬送部４０には、搬送部筐体６０の左側にギアや駆動プーリ、駆動ベルト等を有する駆動伝達部１１０が配置されている。
【０３０５】
よって最も前に位置する１個の双方向受渡搬送部４０は、預払機筐体２に上部ユニット１３が収納された場合、振分搬送部２８に設けられた駆動伝達ギアを駆動伝達部１１０のギアと連結する。
【０３０６】
これにより最も前に位置する１個の双方向受渡搬送部４０は、紙幣の入金処理時や出金処理時、振分搬送部２８から駆動伝達ギアを介して伝達されるモータの駆動力を、駆動伝達部１１０においてギアで受けると共に駆動プーリ及び駆動ベルトを介して、当該ギアの回転を自己の搬送部筐体６０の駆動プーリ１０７から他の搬送部筐体６０の駆動プーリ１０７へと順に伝達する。
【０３０７】
このようにして複数の双方向受渡搬送部４０乃至４４は、ローラ駆動モータが特には設けられていないものの、紙幣の入金処理時や出金処理時、双方向紙幣搬送路４０Ａ乃至４４Ａを駆動して紙幣を搬送することができる。
【０３０８】
ここで、図４及び図１３に示すように、複数の双方向受渡搬送部４０乃至４４は、それぞれ上述のように搬送部筐体６０の後側ガイド保持部７１に回転制御レバー８５が取り付けられている。
【０３０９】
ただし、複数の双方向受渡搬送部４０乃至４４は、それぞれの搬送部筐体６０の後側ガイド保持部７１に対し回転制御レバー８５が、預払機後方向に沿って当該回転制御レバー８５の受部を順に右側に所定間隔でずらして位置させるように取り付けられている。
【０３１０】
また振分搬送部２８は、複数の双方向受渡搬送部４０乃至４４に対応する複数の搬送路接続部分に、それぞれ一対の平行な搬送ガイドが、互いの一面を垂直にし、かつ前後に位置させるようにして配置されると共にローラや搬送ベルト等も配置されている。
【０３１１】
因みに、以下の説明では、振分搬送部２８の複数の搬送路接続部分にそれぞれ配置された一対の搬送ガイドにおいて前側に位置する一方の搬送ガイドを、接続部分前ガイドとも呼び、後側に位置する他方の搬送ガイドを、接続部分後ガイドとも呼ぶ。
【０３１２】
これにより振分搬送部２８は、複数の搬送路接続部分においてそれぞれ接続部分前ガイド及び接続部分後ガイドの間に紙幣振分搬送路２８Ａの下端部を、複数の双方向受渡搬送部４０乃至４４の場合と同様な搬送路横幅及び搬送路縦幅を有し、紙幣を預払機上下方向と平行な搬送方向に沿って上側や下側へ搬送可能なように形成している。
【０３１３】
なお、搬送路接続部分毎の一対の接続部分前ガイド及び接続部分後ガイドは、それぞれ下端部が預払機左方向に沿って櫛歯状に形成されると共に、当該下端部の一面が上から下にかけて互いの間隔を徐々に広げるように弓形状に形成されている。
【０３１４】
そして振分搬送部２８の複数の搬送路接続部分では、それぞれ一対の接続部分前ガイド及び接続部分後ガイドのうち例えば、接続部分前ガイドに、回転制御レバー８５に対応する押付アーム１１５が取り付けられている。
【０３１５】
この場合、押付アーム１１５は、それぞれ所定長さの短冊板状の腕部の根元部分が接続部分前ガイドの所定位置に接合され、当該腕部の先端部分を、その接続部分前ガイドよりも右側に位置させている。
【０３１６】
また押付アーム１１５は、腕部の先端に例えば、縦長な略ブロック状の押付部が、当該腕部の先端から下側に突出し、かつ押付面を後側に向けるようにして設けられている。そして押付アーム１１５は、押付部の形状及び寸法が適宜選定されている。
【０３１７】
これにより押付アーム１１５は、接続部分前ガイドに対し例えば、押付部の押付面を、一対の接続部分前ガイド及び接続部分後ガイドの搬送路縦幅の方向と垂直で、かつ当該一対の接続部分前ガイド及び接続部分後ガイドの搬送路縦幅のセンターに位置するような仮想平面と面一にして取り付けられている。
【０３１８】
ただし、振分搬送部２８は、複数の搬送路接続部分それぞれの接続部分前ガイドに対し押付アーム１１５が、預払機後方向に沿って当該押付アーム１１５の押付部を順に右側に所定間隔でずらして、回転制御レバー８５の受突起に対向させて位置させるように取り付けられている。
【０３１９】
係る構成のもと複数の双方向受渡搬送部４０乃至４４は、上述のように預払機筐体２から上部ユニット１３が引き出された場合、搬送部筐体６０において後側ガイド保持部７１及び前側ガイド保持部７０を一回転方向へ回転させて、前側可動ガイド７２及び後側可動ガイド７３を垂直な姿勢から前側に傾斜させている。
【０３２０】
この状態で振分搬送部２８は、預払機筐体２内に上部ユニット１３が収納される場合、その収納に伴い上部ユニット１３の一部として預払機筐体２の前側の所定のユニット引出位置から当該預払機筐体２内の所定のユニット収納位置まで預払機後方向へ移動する。
【０３２１】
この際、振分搬送部２８は、ユニット収納位置の手前で、複数の搬送路接続部分各々の押付アーム１１５の押付部を、複数の双方向受渡搬送部４０乃至４４の対応する回転制御レバー８５の受部の受突起に押し当てるようにして後側可動ガイド７３と共に前側可動ガイド７２を他回転方向へ回転させ始める。
【０３２２】
すなわち、振分搬送部２８は、ユニット収納位置の手前まで移動すると、搬送路接続部分毎に押付アーム１１５の押付部を、当該搬送路接続部分と、対応する双方向受渡搬送部４０乃至４４との調整位置に応じた個別のタイミングで、その対応する双方向受渡搬送部４０乃至４４の回転制御レバー８５の受部の受突起に押し当てるようにして後側可動ガイド７３と共に前側可動ガイド７２を他回転方向へ回転させ始める。
【０３２３】
また振分搬送部２８は、ユニット収納位置側へ引き続き移動することで、双方向受渡搬送部４０乃至４４毎の前側可動ガイド７２及び後側可動ガイド７３をそれぞれ他回転方向へ回転させながら、当該前側可動ガイド７２及び後側可動ガイド７３の先端部に、対応する接続部分前ガイド及び接続部分後ガイドの下端部を噛み合わせるように嵌合させる。
【０３２４】
そして振分搬送部２８は、ユニット収納位置に到達して移動が停止したとき、双方向受渡搬送部４０乃至４４毎の前側可動ガイド７２及び後側可動ガイド７３を、接続部分前ガイド及び接続部分後ガイドと嵌合させたまま、当該搬送路接続部分との調整位置に応じた所定角度まで回転させたうえで、その回転を停止させる。
【０３２５】
これにより図１４に示すように、振分搬送部２８は、預払機筐体２内に上部ユニット１３が収納された状態で、双方向受渡搬送部４０乃至４４の真上に、対応する搬送路接続部分が位置する場合、前側可動ガイド７２及び後側可動ガイド７３を垂直な姿勢にして、これらの先端部に、接続部分前ガイド１２０及び接続部分後ガイド１２１の先端部を嵌合させる。
【０３２６】
すなわち、振分搬送部２８は、この場合、前側可動ガイド７２及び後側可動ガイド７３を垂直な姿勢にして、当該前側可動ガイド７２の根元部の一面を接続部分前ガイド１２０の一面と面一にすると共に、後側可動ガイド７３の根元部の一面を接続部分後ガイド１２１の一面と面一にして双方向紙幣搬送路４０Ａ乃至４４Ａの上端部を紙幣振分搬送路２８Ａの下端部と接続する。
【０３２７】
また図１５に示すように、振分搬送部２８は、預払機筐体２内に上部ユニット１３が収納された状態で、双方向受渡搬送部４０乃至４４の真上よりも後側に、対応する搬送路接続部分が位置する場合、前側可動ガイド７２及び後側可動ガイド７３を後側に傾けた姿勢にして、これらの先端部に、接続部分前ガイド１２０及び接続部分後ガイド１２１の先端部を嵌合させる。
【０３２８】
すなわち、振分搬送部２８は、この場合、前側可動ガイド７２及び後側可動ガイド７３を後側に傾けた姿勢にして、当該前側可動ガイド７２の根元部の一面と接続部分前ガイド１２０の一面とをくの字状に交差させると共に、後側可動ガイド７３の根元部の一面と接続部分後ガイド１２１の一面とをくの字状に交差させて双方向紙幣搬送路４０Ａ乃至４４Ａの上端部を紙幣振分搬送路２８Ａの下端部と接続する。
【０３２９】
さらに図１６に示すように、振分搬送部２８は、預払機筐体２内に上部ユニット１３が収納された状態で、双方向受渡搬送部４０乃至４４の真上よりも前側に、対応する搬送路接続部分が位置する場合、前側可動ガイド７２及び後側可動ガイド７３を前側に傾けた姿勢にして、これらの先端部に、接続部分前ガイド１２０及び接続部分後ガイド１２１の先端部を嵌合させる。
【０３３０】
すなわち、振分搬送部２８は、この場合、前側可動ガイド７２及び後側可動ガイド７３を前側に傾けた姿勢にして、当該前側可動ガイド７２の根元部の一面と接続部分前ガイド１２０の一面とを逆くの字状に交差させると共に、後側可動ガイド７３の根元部の一面と接続部分後ガイド１２１の一面とを逆くの字状に交差させて双方向紙幣搬送路４０Ａ乃至４４Ａの上端部を紙幣振分搬送路２８Ａの下端部と接続する。
【０３３１】
このようにして振分搬送部２８は、上部ユニット１３の預払機前後方向に対する位置の調整が不十分な場合でも、上部ユニット１３の収納時、作業者に当該上部ユニット１３を預払機筐体２内に押し込ませるだけで、その押し込みによる預払機後方向への移動により、紙幣振分搬送路２８Ａの複数の下端部に対して、それぞれ対応する双方向紙幣搬送路４０Ａ乃至４４Ａの上端部を精度良く位置決めして接続することができる。
【０３３２】
そして複数の双方向受渡搬送部４０乃至４４は、この際、上述のように前側可動ガイド７２及び後側可動ガイド７３を平行にしたまま回転させている。
【０３３３】
よって双方向受渡搬送部４０乃至４４は、前側可動ガイド７２及び後側可動ガイド７３を前側や後側へ傾けた姿勢で接続部分前ガイド１２０及び接続部分後ガイド１２１と嵌合させて双方向紙幣搬送路４０Ａ乃至４４Ａの上端部と紙幣振分搬送路２８Ａの下端部とを接続しても、これらの接続部分内に先端部や下端部が入り込んで段差や凹みが形成されることを確実に防止することができる。
【０３３４】
ところで、図４及び図１７並びに図１８に示すように、連結部３５は、連結筐体３６においてケース左前支持部３６ＢＸ及びケース左後支持部の右面に、複数の双方向受渡搬送部４０乃至４４の左側位置決めピン８７及び右側位置決めピン８８を、紙幣収納庫２０乃至２４の位置決め孔部に対して差し込み、また引き抜くための差込引抜部１２５が設けられている。
【０３３５】
差込引抜部１２５は、所定長さの角柱状のアーム支持部１２６（図１７及び図１８には図示せず）と、金庫筐体１５の奥行よりも僅かに短い所内長さの角柱状の可動アーム１２７とを有している。
【０３３６】
この場合、アーム支持部１２６は、預払機前後方向と平行にしてケース左前支持部３６ＢＸ及びケース左後支持部の右面の所定位置に固定されている。
【０３３７】
また可動アーム１２７は、アーム支持部１２６と平行にした状態で、当該アーム支持部１２６に上下の複数の連結ピン及び複数の連結板（図１７及び図１８には図示せず）を介して連結されている。
【０３３８】
これにより差込引抜部１２５は、複数の連結ピン及び複数の連結板と共に可動アーム１２７により平行リンクを形成し、当該可動アーム１２７をアーム支持部１２６と平行にしたまま、左右に変位させながら前後に移動させ得るようにしている。
【０３３９】
そして差込引抜部１２５は、可動アーム１２７の後端と金庫筐体１５の後板の内面との間に圧縮コイルばね１２８が配置され、当該圧縮コイルはね１２８により可動アーム１２７を預払機前方向へ移動させるように付勢している。
【０３４０】
これにより差込引抜部１２５は、金庫筐体１５に対し金庫扉１５Ｂが閉じられた場合、圧縮コイルばね１２８により可動アーム１２７を前側へ移動させるように付勢しながら、当該可動アーム１２７の前端を金庫扉１５Ｂの内面左端部（すなわち、金庫扉１５Ｂを開閉可能に支持するヒンジ側）に押し付けている。
【０３４１】
そして差込引抜部１２５は、金庫筐体１５に対し金庫扉１５Ｂが開かれた場合、圧縮コイルばね１２８により可動アーム１２７を前側に移動させて、当該可動アーム１２７の先端部を金庫筐体１５内から前側に突出させる。
【０３４２】
因みに、金庫扉１５Ｂの前面には、図示はしていないが当該金庫扉１５Ｂを開閉する際に手で把持して回転操作させる開閉ハンドルが取り付けられている。また開閉ハンドルには、その回転操作に連動して変位する閂（図示せず）が取り付けられている。
【０３４３】
よって金庫筐体１５は、金庫扉１５Ｂが閉じられて開閉ハンドルが回転操作されると、閂を金庫筐体１５内の所定の係合位置に係合させて当該金庫扉１５Ｂの閉じた状態を維持することができる。
【０３４４】
また金庫扉１５Ｂの前面には、例えば、係合位置に係合した閂を一時的に変位させ得ないように固定して、金庫筐体１５に対し当該金庫扉１５Ｂを閉じた状態にロックするための錠も取り付けられている。
【０３４５】
これにより金庫筐体１５は、金庫扉１５Ｂが閉じられて係合位置に閂が係合している間は、金庫扉１５Ｂのロックの有無に関わらずに、可動アーム１２７を内部に留めておくことができる。
【０３４６】
そして金庫筐体１５は、金庫扉１５Ｂが閉じられているものの、ロックが解除された状態（すなわち、閂を金庫筐体１５内の所定の係合位置に係合させている状態）で開閉ハンドルが回転操作されると、係合位置から閂を退避させて、当該金庫扉１５Ｂを開かせることができる。
【０３４７】
これにより金庫筐体１５は、金庫扉１５Ｂが開かれている間は、圧縮コイルばね１２８の作用により可動アーム１２７を前側に移動させて当該可動アーム１２７の先端部を金庫筐体１５内から前側に突出させている。
【０３４８】
また可動アーム１２７は、右面において複数の双方向受渡搬送部４０乃至４４の左側昇降制御レバー９５に設けられた連結ピン９８とそれぞれ対向する位置に、当該連結ピン９８の直径よりも長い横幅及び縦幅を有する四角形状のピン挿入孔部が穿設されている。
【０３４９】
そして可動アーム１２７は、複数のピン挿入孔部にそれぞれ対応する連結ピン９８の先端部が右面側から挿入されて左面から突出させている。
【０３５０】
さらに可動アーム１２７は、左面において複数のピン挿入孔部それぞれの上側及び前側にばね押付部及びばね係止部が突設されている。
【０３５１】
そして可動アーム１２７は、左面において複数のピン挿入孔部の前側にそれぞれトーションばね１３０がある程度縮められた状態で、一端部をばね係止部に係止すると共に、他端部をばね押付部に前側から押し付けるようにして設けられている。
【０３５２】
ここで、図１９を用いて複数の紙幣収納庫２０乃至２４の構成について説明する。ただし、複数の紙幣収納庫２０乃至２４は、それぞれ同様に構成されている。
【０３５３】
このため、以下には、１個の紙幣収納庫２０の構成について説明し、他の複数の紙幣収納庫２１乃至２４の構成については説明を省略する。
【０３５４】
紙幣収納庫２０は、例えば、上下に長い略直方体状に形成された外装ケース１４０を有し、当該外装ケース１４０の正面に扉（以下、これを収納庫扉とも呼ぶ）１４１が開閉可能に設けられている。
【０３５５】
因みに、以下の説明では、紙幣収納庫２０を、外装ケース１４０の正面と対峙して見た場合の図中に矢印ａ２で示す左の方向を、収納庫左方向とも呼び、当該収納庫左方向とは逆の方向を、収納庫右方向とも呼ぶ。
【０３５６】
そして、以下の説明では、収納庫左方向及び収納庫右方向を特に区別する必要がない場合、これらをまとめて収納庫左右方向とも呼ぶ。
【０３５７】
また、以下の説明では、紙幣収納庫２０を、外装ケース１４０の正面と対峙して見た場合の図中に矢印ｂ２で示す上の方向を、収納庫上方向とも呼び、当該収納庫上方向とは逆の方向を、収納庫下方向とも呼ぶ。
【０３５８】
そして、以下の説明では、収納庫上方向及び収納庫下方向を特に区別する必要がない場合、これらをまとめて収納庫上下方向とも呼ぶ。
【０３５９】
さらに、以下の説明では、紙幣収納庫２０を、外装ケース１４０の正面と対峙して見た場合の図中に矢印ｃ２で示す手前の方向を、収納庫前方向とも呼び、当該収納庫前方向とは逆の方向を、収納庫後方向とも呼ぶ。
【０３６０】
そして、以下の説明では、収納庫前方向及び収納庫後方向を特に区別する必要がない場合、これらをまとめて収納庫前後方向とも呼ぶ。
【０３６１】
この場合、外装ケース１４０の上面には、後端部に、平行な一対の搬送ガイド１４０Ａ、１４０Ｂが、互いの一面を垂直にし、かつ前後に位置させるようにして一体に形成されている。
【０３６２】
因みに、以下の説明では、外装ケース１４０の上面に一体に形成された一対の搬送ガイド１４０Ａ、１４０Ｂのうち、前側に位置する一方の搬送ガイド１４０Ａを、収納庫前ガイド１４０Ａとも呼び、後側に位置する他方の搬送ガイド１４０Ｂを、収納庫後ガイド１４０Ｂとも呼ぶ。
【０３６３】
また外装ケース１４０内には、収納庫前ガイド１４０Ａ及び収納庫後ガイド１４０Ｂに対応させて複数のローラも配置されている。
【０３６４】
これにより紙幣収納庫２０は、収納庫前ガイド１４０Ａ及び収納庫後ガイド１４０Ｂの間に収納紙幣搬送路２０ＡＸの端部を、複数の双方向受渡搬送部４０乃至４４の場合と同様な搬送路横幅及び搬送路縦幅を有し、紙幣を収納庫上下方向と平行な搬送方向に沿って上側や下側へ搬送可能なように形成している。
【０３６５】
なお、収納庫前ガイド１４０Ａ及び収納庫後ガイド１４０Ｂは、それぞれ上端部が収納庫左方向に沿って櫛歯状に形成されると共に、当該上端部の一面が下から上にかけて互いの間隔を徐々に広げるように弓形状に形成されている。
【０３６６】
また外装ケース１４０の上面には、収納庫前ガイド１４０Ａの前側左寄りに、双方向受渡搬送部４０の左側位置決めピン８７に対応させて所定深さの例えば、円形の左側位置決め孔部１４０Ｃが形成されている。
【０３６７】
左側位置決め孔部１４０Ｃは、底部分の内径が左側位置決めピン８７の直径とほぼ等しい長さに選定されている。
【０３６８】
また左側位置決め孔部１４０Ｃは、ピン差込口が一周に亘り、底部分よりも内径を広げるように漏斗状に形成されている。
【０３６９】
さらに外装ケース１４０の上面には、収納庫前ガイド１４０Ａの前側右寄りに、双方向受渡搬送部４０の右側位置決めピン８８に対応させて所定深さのレーストラック状の右側位置決め孔部１４０Ｄが、その長手方向を収納庫左右方向と平行にして形成されている。
【０３７０】
右側位置決め孔部１４０Ｄは、底部分の前後の幅が右側位置決めピン８８の直径とほぼ等しい長さに選定されると共に、当該底部分の左右の幅が当該右側位置決めピン８８の直径よりも長い所定長さに選定されている。
【０３７１】
また右側位置決め孔部１４０Ｄは、ピン差込口が一周に亘り、底部分よりも前後左右の幅を広げるように略漏斗状に形成されている。
【０３７２】
そして紙幣収納庫２０、及び同様構成の他の紙幣収納庫２１乃至２４は、収納庫装填ケース１６に対し例えば、外装ケース１４０の正面を前側に向けた状態で装填されている。
【０３７３】
係る構成のもと複数の双方向受渡搬送部４０乃至４４（図１７及び図１８）は、金庫筐体１５に対し金庫扉１５Ｂが開かれた場合、後述するように左側昇降制御レバー９５及び右側昇降制御レバー９６を他回転方向へ回転させて左側位置決めピン８７及び右側位置決めピン８８を搬送部筐体６０の枠部６０Ａ内に収納している。
【０３７４】
この状態で双方向受渡搬送部４０乃至４４は、金庫筐体１５内に、複数の紙幣収納庫２０乃至２４が装填された収納庫装填ケース１６が所定のケース収納位置まで収納されると、前側固定ガイド７４及び後側固定ガイド７５の下端部を、対応する紙幣収納庫２０乃至２４の収納庫前ガイド１４０Ａ及び収納庫後ガイド１４０Ｂの上端部と噛み合わせるように嵌合させる。
【０３７５】
この際、複数の双方向受渡搬送部４０乃至４４は、収納庫装填ケース１６の預払機前後方向に対する位置が高精度に調節されていると、図１４に示しているように、前側固定ガイド７４の腕部の一面を対応する紙幣収納庫２０乃至２４の収納庫前ガイド１４０Ａの一面と面一にすると共に、後側固定ガイド７５の腕部の一面を当該紙幣収納庫２０乃至２４の収納庫後ガイド１４０Ｂの一面と面一にして双方向紙幣搬送路４０Ａ乃至４４Ａの下端部を収納紙幣搬送路２０ＡＸ乃至２４ＡＸの上端部と接続部分内に何ら段差のない状態で接続する。
【０３７６】
ただし複数の双方向受渡搬送部４０乃至４４は、収納庫装填ケース１６の預払機前後方向に対する位置の調節が不十分であると、前側固定ガイド７４及び後側固定ガイド７５に対し、紙幣収納庫２０乃至２４の収納庫前ガイド１４０Ａ及び収納庫後ガイド１４０Ｂが前側や後側にずれて位置するため、双方向紙幣搬送路４０Ａ乃至４４Ａの下端部を収納紙幣搬送路２０ＡＸ乃至２４ＡＸの上端部と接続部分内に段差を形成するように接続することになる。
【０３７７】
このため差込引抜部１２５は、金庫筐体１５内に、複数の紙幣収納庫２０乃至２４が装填された収納庫装填ケース１６が装填された状態で、それまで金庫筐体１５に対して開かれていた金庫扉１５Ｂが閉じられると、金庫扉１５Ｂの内面で可動アーム１２７の前端が押されることで、当該可動アーム１２７を預払機後方向へ移動させる。
【０３７８】
この際、差込引抜部１２５は、可動アーム１２７を移動させながら、当該可動アーム１２７の左面側で、複数の双方向受渡搬送部４０乃至４４の連結ピン９８の先端部にそれぞれ対応するトーションばね１３０の他端部を押し付ける。
【０３７９】
よって差込引抜部１２５は、複数の双方向受渡搬送部４０乃至４４において、それぞれ連結ピン９８を後側へ変位させながら左側昇降制御レバー９５及び右側昇降制御レバー９６を一回転方向へ回転させて、左側位置決めピン８７及び右側位置決めピン８８を下降させる。
【０３８０】
これにより差込引抜部１２５は、複数の双方向受渡搬送部４０乃至４４の左側位置決めピン８７及び右側位置決めピン８８をそれぞれ対応する紙幣収納庫２０乃至２４の左側位置決め孔部１４０Ｃ及び右側位置決め孔部１４０Ｄに一括して差し込む。
【０３８１】
この際、収納庫装填ケース１６の預払機前後方向に対する位置が高精度に調節されていると、複数の双方向受渡搬送部４０乃至４４の左側位置決めピン８７の中心の真下及び右側位置決めピン８８の中心の真下に、対応する紙幣収納庫２０乃至２４の左側位置決め孔部１４０Ｃの中心及び右側位置決め孔部１４０Ｄの中心が位置している。
【０３８２】
このため差込引抜部１２５は、このような場合、複数の双方向受渡搬送部４０乃至４４の左側位置決めピン８７及び右側位置決めピン８８を、対応する紙幣収納庫２０乃至２４を特には位置決めすることなく左側位置決め孔部１４０Ｃ及び右側位置決め孔部１４０Ｄに差し込むことができる。
【０３８３】
ただし、収納庫装填ケース１６の預払機前後方向に対する位置の調節が不十分であると、複数の双方向受渡搬送部４０乃至４４の左側位置決めピン８７の中心の真下及び右側位置決めピン８８の中心の真下から、対応する紙幣収納庫２０乃至２４の左側位置決め孔部１４０Ｃの中心及び右側位置決め孔部１４０Ｄの中心が前側や後側にずれることになる。
【０３８４】
しかしながら、左側位置決めピン８７及び右側位置決めピン８８は、それぞれ上述のように先端部がテーパ状に形成されている。
【０３８５】
また左側位置決め孔部１４０Ｃ及び右側位置決め孔部１４０Ｄは、それぞれ上述のように、ピン差込口が漏斗状に形成されている。
【０３８６】
このため差込引抜部１２５は、複数の双方向受渡搬送部４０乃至４４の左側位置決めピン８７の中心の真下から、対応する紙幣収納庫２０乃至２４の左側位置決め孔部１４０Ｃの中心が前側や後側にずれていても、左側位置決めピン８７の中心の真下に左側位置決め孔部１４０Ｃの中心を引き込むように紙幣収納庫２０乃至２４の位置や姿勢を変化させながら当該左側位置決めピン８７を左側位置決め孔部１４０Ｃに差し込むことができる。
【０３８７】
また差込引抜部１２５は、複数の双方向受渡搬送部４０乃至４４の右側位置決めピン８８の中心の真下から、対応する紙幣収納庫２０乃至２４の右側位置決め孔部１４０Ｄの中心が前側や後側にずれている場合も、同様に右側位置決めピン８８の中心の真下に右側位置決め孔部１４０Ｄの中心を引き込むように紙幣収納庫２０乃至２４の位置や姿勢を変化させながら当該右側位置決めピン８８を右側位置決め孔部１４０Ｄに差し込むことができる。
【０３８８】
これにより差込引抜部１２５は、複数の双方向受渡搬送部４０乃至４４に対し、対応する紙幣収納庫２０乃至２４を位置決めすることができる。
【０３８９】
そして差込引抜部１２５は、このように複数の双方向受渡搬送部４０乃至４４に対し、対応する紙幣収納庫２０乃至２４を位置や姿勢を変化させて位置決めすると、これに応じて前側固定ガイド７４及び後側固定ガイド７５に対する収納庫前ガイド１４０Ａ及び収納庫後ガイド１４０Ｂの位置ずれを修正することができる。
【０３９０】
すなわち、差込引抜部１２５は、前側固定ガイド７４の腕部の一面と収納庫前ガイド１４０Ａの一面とを面一にすると共に、後側固定ガイド７５の腕部の一面と収納庫後ガイド１４０Ｂの一面とを面一にするように位置ずれを修正して、双方向紙幣搬送路４０Ａ乃至４４Ａの下端部と収納紙幣搬送路２０ＡＸ乃至２４ＡＸの上端部との接続部分内を段差のない状態に変化させることができる。
【０３９１】
このようにして差込引抜部１２５は、収納庫装填ケース１６の預払機前後方向に対する位置の調整が不十分な場合でも、収納庫装填ケース１６の収納時、作業者に金庫筐体１５の金庫扉１５Ｂを閉じさせるだけで、複数の双方向受渡搬送部４０乃至４４の双方向紙幣搬送路４０Ａ乃至４４Ａの下端部に対して、対応する紙幣収納庫２０乃至２４の収納紙幣搬送路２０ＡＸ乃至２４ＡＸの上端部を精度良く位置決めして接続することができる。
【０３９２】
一方、差込引抜部１２５は、収納庫装填ケース１６の引出時、金庫筐体１５の金庫扉１５Ｂが開かれると、これに応じて圧縮コイルばね１２８の作用により可動アーム１２７を預払機前方向へ移動させる。
【０３９３】
この際、差込引抜部１２５は、可動アーム１２７を移動させながら、当該可動アーム１２７の複数のピン挿入孔部内の後面を、それぞれ当該ピン挿入孔部に挿入されている連結ピン９８に押し付ける。
【０３９４】
よって差込引抜部１２５は、複数の双方向受渡搬送部４０乃至４４においてそれぞれ連結ピン９８を前側へ変位させながら左側昇降制御レバー９５及び右側昇降制御レバー９６を他回転方向へ回転させて、左側位置決めピン８７及び右側位置決めピン８８を上昇させる。
【０３９５】
これにより差込引抜部１２５は、複数の双方向受渡搬送部４０乃至４４の左側位置決めピン８７及び右側位置決めピン８８をそれぞれ対応する紙幣収納庫２０乃至２４の左側位置決め孔部１４０Ｃ及び右側位置決め孔部１４０Ｄから一括して引き抜く。
【０３９６】
そして差込引抜部１２５は、このようにして左側位置決め孔部１４０Ｃ及び右側位置決め孔部１４０Ｄから左側位置決めピン８７及び右側位置決めピン８８を引き抜くと、その引抜時点からは引き続き複数の双方向受渡搬送部４０乃至４４に対しそれぞれ一対のコイルばね９７、９９の作用により左側昇降制御レバー９５及び右側昇降制御レバー９６を、さらに他回転方向へ回転させて左側位置決めピン８７及び右側位置決めピン８８を上昇させ搬送部筐体６０の枠部６０Ａ内に収納させる。
【０３９７】
このようにして差込引抜部１２５は、収納庫装填ケース１６の引出時、作業者に対し、複数の紙幣収納庫２０乃至２４の左側位置決め孔部１４０Ｃ及び右側位置決め孔部１４０Ｄから複数の双方向受渡搬送部４０乃至４４の左側位置決めピン８７及び右側位置決めピン８８をそれぞれ引き抜かせるための特別な操作を何ら行わせることなく、収納庫装填ケース１６の引き出しのために金庫筐体１５の金庫扉１５Ｂを開かせるだけで、当該複数の紙幣収納庫２０乃至２４の左側位置決め孔部１４０Ｃ及び右側位置決め孔部１４０Ｄから、対応する双方向受渡搬送部４０乃至４４の左側位置決めピン８７及び右側位置決めピン８８を一括して引き抜くことができる。
【０３９８】
ところで、金庫筐体１５の金庫扉１５Ｂは、比較的厚い金属板によって形成され比較的重いため、開閉には、ある程度の力が必要になる。
【０３９９】
ただし、差込引抜部１２５には、可動アーム１２７を前側に付勢するために、比較的弾性力の大きい圧縮コイルばね１２８が設けられている。
【０４００】
このため差込引抜部１２５は、収納庫装填ケース１６の引出時に、金庫筐体１５の金庫扉１５Ｂを開くために開閉ハンドルが回転操作され当該金庫筐体１５内の係合位置から閂が退避すると、その時点で圧縮コイルばね１２８の作用により可動アーム１２７で金庫扉１５Ｂを前側に押して僅かに開く（すなわち、金庫筐体１５から金庫扉１５Ｂを僅かにうかせる）ことができる。
【０４０１】
これにより差込引抜部１２５は、作業者が金庫筐体１５に対して金庫扉１５Ｂを開く際の負担を軽減させることができる。
【０４０２】
また差込引抜部１２５には、上述のように可動アーム１２７が平行リンクの機構を利用して前後に移動するように設けられている。
【０４０３】
このため差込引抜部１２５は、金庫筐体１５に対し金庫扉１５Ｂが閉じられるとき、ヒンジを介して回転する金庫扉１５Ｂの内面で可動アーム１２７が押されても、当該可動アーム１２７が金庫扉１５Ｂによって加えられる回転方向の押圧力によって変形し、また破損することを防止することができる。
【０４０４】
ところで、複数の双方向紙幣搬送路４０Ａ乃至４４Ａと、これに対応する紙幣振分搬送路２８Ａの複数箇所の下端部及び複数の収納紙幣搬送路２０ＡＸ乃至２４ＡＸとについては、紙幣を預払機下方向及び預払機上方向のように双方向に搬送するため、互いを精度良く位置決めして接続する必要がある。
【０４０５】
このため複数の双方向紙幣搬送路４０Ａ乃至４４Ａと、これに対応する紙幣振分搬送路２８Ａの複数箇所の下端部及び複数の収納紙幣搬送路２０ＡＸ乃至２４ＡＸとについては、上述の構成により接続時の高精度な位置決めを実現している。
【０４０６】
これに対し一方向紙幣搬送路３９Ａと、これに対応する紙幣振分搬送路２８Ａの１箇所の下端部及びリジェクト紙幣搬送路１７ＡＸとについては、リジェクト紙幣を預払機下方向のように一方向へのみ搬送するため、紙幣を双方向へ搬送する場合のように高精度に位置決めせずに接続しても、リジェクト紙幣を問題なく搬送することができる。
【０４０７】
このため振分搬送部２８は、一方向受渡搬送部３９に対応する１箇所の搬送路接続部分に、複数の双方向受渡搬送部４０乃至４４に対応する複数の搬送路接続部分と同様に紙幣振分搬送路２８Ａの下端部を形成しているものの、当該一方向受渡搬送部３９を双方向受渡搬送部４０乃至４４とは異なるように構成している。
【０４０８】
すなわち、図３及び図４に示すように、一方向受渡搬送部３９は、例えば、搬送部筐体１５０内に、紙幣の長辺の長さ以上の所定の長さを有する断面略コ字状の一対の搬送ガイド１５１、１５２が、一方は前側に位置させ、他方は後側に位置させるようにして互いの一面を対向させて固定されている。
【０４０９】
因みに、以下の説明では、一方向受渡搬送部３９において前側に位置する一方の搬送ガイド１５１を、一方向用前側ガイド１５１とも呼び、後側に位置する他方の搬送ガイド１５２を、一方向用後側ガイド１５２とも呼ぶ。
【０４１０】
この場合、一方向用前側ガイド１５１及び一方向用後側ガイド１５２は、互いに一面が傾斜しており、互いの間隔が上から下へ徐々に狭まるように配置されている。
【０４１１】
また一方向用前側ガイド１５１及び一方向用後側ガイド１５２は、上端部及び下端部がそれぞれ預払機左方向に沿って櫛歯状に形成されている。
【０４１２】
さらに一方向受渡搬送部３９は、一方向用前側ガイド１５１ド内に預払機左右方向と平行なローラ軸を介して一対のローラが回動可能に配置され、当該一対のローラの周側面の一部を一方向用前側ガイド１５１に穿設された対応する孔部を介して後側に突出させている。
【０４１３】
さらにまた一方向受渡搬送部３９は、一方向用後側ガイド１５２内にも預払機左右方向と平行なローラ軸を介して一対のローラが回動可能に配置され、当該一対のローラの周側面の一部を一方向用後側ガイド１５２に穿設された対応する孔部を介して前側に突出させている。
【０４１４】
よって一方向受渡搬送部３９は、一方向用前側ガイド１５１の一対のローラの周側面の後側と、一方向用後側ガイド１５２の一対のローラの周側面の前側とを、当該一方向用前側ガイド１５１及び一方向用後側ガイド１５２の間で押し付けている。
【０４１５】
これにより一方向受渡搬送部３９は、一方向用前側ガイド１５１及び一方向用後側ガイド１５２の間に、複数の双方向受渡搬送部４０乃至４４の場合と同様な搬送路横幅を有するものの、搬送路縦幅が上から下へ徐々に狭まる一方向紙幣搬送路３９Ａを形成している。
【０４１６】
そして一方向受渡搬送部３９には、搬送部筐体１５０の左側にギアや駆動プーリ、駆動ベルト等を有する左側駆動伝達部１５５が配置されている。
【０４１７】
よって一方向受渡搬送部３９は、預払機筐体２に上部ユニット１３が収納された場合、振分搬送部２８に設けられた駆動伝達ギアを左側駆動伝達部１５５のギアと連結する。
【０４１８】
これにより一方向受渡搬送部３９は、紙幣の入金処理時や出金処理時、振分搬送部２８から駆動伝達ギアを介して伝達されるモータの駆動力を、左側駆動伝達部１５５においてギアで受けると共に駆動プーリ及び駆動ベルトを介して、当該ギアの回転を自己の搬送部筐体１５０の駆動プーリに伝達してローラ軸を回転させる。
【０４１９】
このようにして一方向受渡搬送部３９は、ローラ駆動モータが特には設けられていないものの、紙幣の入金処理時や出金処理時、一方向紙幣搬送路３９Ａを駆動してリジェクト紙幣を搬送することができる。
【０４２０】
係る構成のもと、一方向受渡搬送部３９は、預払機筐体２内に上部ユニット１３が収納されると、一方向用前側ガイド１５１及び一方向用後側ガイド１５２の上端部を、振分搬送部２８の対応する搬送路接続部分の接続部分前ガイド及び接続部分後ガイドの下端部と嵌合させて、一方向紙幣搬送路３９Ａの上端部を紙幣振分搬送路２８Ａの下端部と接続する。
【０４２１】
ただし、一方向受渡搬送部３９では、一方向用前側ガイド１５１及び一方向用後側ガイド１５２の上端部の間隔（すなわち、一方向紙幣搬送路３９Ａの上端部の搬送路縦幅）が、振分搬送部２８の接続部分前ガイド及び接続部分後ガイドの間隔（すなわち、紙幣振分搬送路２８Ａの下端部の搬送路縦幅）よりも広く選定されている。
【０４２２】
よって一方向受渡搬送部３９は、一方向紙幣搬送路３９Ａの上端部の搬送路縦幅の中心と、紙幣振分搬送路２８Ａの下端部の搬送路縦幅の中心とが前後にずれていても、当該紙幣振分搬送路２８Ａの下端部から繰り出されるリジェクト紙幣を、一方向紙幣搬送路３９Ａの上端部で受け取って引き続き搬送することができる。
【０４２３】
一方、リジェクト庫１７は、紙幣収納庫２０乃至２４の場合と同様に外装ケース１５７を有し、当該外装ケース１５７の上面の後端部に、一対の搬送ガイド１５７Ａ（一方のみ図示し、他方は図示せず）が、互いの一面を対向させて前後に位置させるようにして一体に形成されている。
【０４２４】
因みに、以下の説明では、外装ケース１５７の上面に一体に形成された一対の搬送ガイド１５７Ａのうち、前側に位置する一方の搬送ガイド１５７Ａを、リジェクト庫前ガイド１５７Ａとも呼び、後側に位置する他方の搬送ガイドを、リジェクト庫後ガイドとも呼ぶ。
【０４２５】
この場合、リジェクト庫前ガイド１５７Ａ及びリジェクト庫後ガイドは、例えば、互いの間隔を上から下へ徐々に狭めるように一面が形成されている。
【０４２６】
またリジェクト庫前ガイド１５７Ａ及びリジェクト庫後ガイドは、上端部がそれぞれ預払機左方向に沿って櫛歯状に形成されている。
【０４２７】
また外装ケース１５７内には、リジェクト庫前ガイド１５７Ａ及びリジェクト庫後ガイドに対応させて複数のローラや、当該ローラに連結されたギア１５８等も配置されている。
【０４２８】
これによりリジェクト庫１７は、リジェクト庫前ガイド１５７Ａ及びリジェクト庫後ガイドの間に、複数の双方向受渡搬送部４０乃至４４の場合と同様な搬送路横幅を有するものの、搬送路縦幅が上から下へ徐々に狭まるリジェクト紙幣搬送路１７ＡＸを形成している。
【０４２９】
因みに、リジェクト庫１７は、内部にローラ駆動モータが設けられずに構成されている。このため一方向受渡搬送部３９には、搬送部筐体１５０の右側にギアや駆動プーリ、駆動ベルト等を有する右側駆動伝達部１５９が配置され、当該右側駆動伝達部１５９がローラ軸を介して左側駆動伝達部１５５に連結されている。
【０４３０】
またリジェクト庫１７は、外装ケース１５７の上面の右端部に、内部のギア１５８を露出させるための切欠部が形成されている。
【０４３１】
そして一方向受渡搬送部３９は、収納庫装填ケース１６の引出時及び収納時、所定の操作に応じて右側駆動伝達部１５９のギアを持ち上げることで、当該収納庫装填ケース１６の引き出し及び収納の妨げになることを回避する。
【０４３２】
また一方向受渡搬送部３９は、金庫筐体１５内に収納庫装填ケース１６が収納された状態では、所定の操作に応じて右側駆動伝達部１５９のギアを下げてリジェクト庫１７のギア１５８に歯合させる。
【０４３３】
これにより一方向受渡搬送部３９は、紙幣の入金処理時や出金処理時、右側駆動伝達部１５９のギアの回転をリジェクト庫１７に伝達して、当該リジェクト庫１７においてリジェクト紙幣の取込用にローラを回転させることができる。
【０４３４】
係る構成のもと、一方向受渡搬送部３９は、金庫筐体１５内に、複数の紙幣収納庫２０乃至２４及びリジェクト庫１７が装填された収納庫装填ケース１６が装填されると、一方向用前側ガイド１５１及び一方向用後側ガイド１５２の下端部を、リジェクト庫１７のリジェクト庫前ガイド１５７Ａ及びリジェクト庫後ガイドの上端部と嵌合させて、一方向紙幣搬送路３９Ａの下端部をリジェクト紙幣搬送路１７ＡＸの下端部と接続する。
【０４３５】
ただし、リジェクト庫１７では、リジェクト庫前ガイド１５７Ａ及びリジェクト庫後ガイドの上端部の間隔（すなわち、リジェクト紙幣搬送路１７ＡＸの上端部の搬送路縦幅）が、一方向用前側ガイド１５１及び一方向用後側ガイド１５２の下端部の間隔（すなわち、一方向紙幣搬送路３９Ａの下端部の搬送路縦幅）よりも広く選定されている。
【０４３６】
よって一方向受渡搬送部３９は、一方向紙幣搬送路３９Ａの下端部の搬送路縦幅の中心と、リジェクト紙幣搬送路１７ＡＸの上端部の搬送路縦幅の中心とが前後にずれていても、当該一方向紙幣搬送路３９Ａの下端部から繰り出すリジェクト紙幣をリジェクト紙幣搬送路１７ＡＸの上端部に引き渡すように搬送することができる。
【０４３７】
このようにして一方向受渡搬送部３９は、上部ユニット１３及び又は収納庫装填ケース１６の預払機前後方向に対する位置の調整が不十分な場合に、一方向紙幣搬送路３９Ａの上端部及び下端部をそれぞれ紙幣振分搬送路２８Ａの対応する下端部及びリジェクト紙幣搬送路１７ＡＸの上端部と特には位置決めせずに接続しても、当該紙幣振分搬送路２８Ａを介して搬送されるリジェクト紙幣をリジェクト紙幣搬送路１７ＡＸへと受け渡すように搬送することができる。
【０４３８】
（１−４）実施の形態の動作及び効果
以上の構成において、現金自動預払機１では、複数の双方向受渡搬送部４０乃至４４に前側可動ガイド７２及び後側可動ガイド７３を互いの根元部の一面を対向させて回動可能に設けると共に、当該前側可動ガイド７２及び後側可動ガイド７３を左側連結板８１及び右側連結板８２を介して連結して互いの一面を平行にしたまま回動可能なようにする。
【０４３９】
そして現金自動預払機１は、預払機筐体２内に上部ユニット１３が収納されたとき、複数の双方向受渡搬送部４０乃至４４の前側可動ガイド７２及び後側可動ガイド７３を、それぞれ振分搬送部２８の対応する搬送路接続部分の接続部分前ガイド１２０及び接続部分後ガイド１２１の位置に応じて回転させて当該接続部分前ガイド１２０及び接続部分後ガイド１２１と嵌合させて双方向紙幣搬送路４０Ａ乃至４４Ａの上端部を紙幣振分搬送路２８Ａの下端部と接続する。
【０４４０】
従って現金自動預払機１は、複数の双方向受渡搬送部４０乃至４４の前側可動ガイド７２及び後側可動ガイド７３を前側や後側へ傾けた姿勢で振分搬送部２８の対応する接続部分前ガイド１２０及び接続部分後ガイド１２１と嵌合させても、双方向紙幣搬送路４０Ａ乃至４４Ａの上端部と紙幣振分搬送路２８Ａの下端部とを搬送路縦幅を変化させずに接続することができる。
【０４４１】
よって現金自動預払機１は、複数の双方向受渡搬送部４０乃至４４の前側可動ガイド７２及び後側可動ガイド７３を前側や後側へ傾けた姿勢で振分搬送部２８の対応する接続部分前ガイド１２０及び接続部分後ガイド１２１と嵌合させても、その嵌合により接続される双方向紙幣搬送路４０Ａ乃至４４Ａの上端部と紙幣振分搬送路２８Ａの下端部との接続部分内に、当該前側可動ガイド７２及び後側可動ガイド７３の先端部や接続部分前ガイド１２０及び接続部分後ガイド１２１の下端部が入り込んで段差や凹みが形成されることを確実に防止することができる。
【０４４２】
そして現金自動預払機１は、このように双方向紙幣搬送路４０Ａ乃至４４Ａの上端部と紙幣振分搬送路２８Ａの下端部とを接続部分内に段差や凹みが無いように接続することで、実際に当該紙幣振分搬送路２８Ａ及び双方向紙幣搬送路４０Ａ乃至４４Ａを順次介して紙幣を搬送する場合、その接続部分で紙幣が詰まり、また破損することをほぼ確実に防止することができる。
【０４４３】
以上の構成によれば、現金自動預払機１は、双方向受渡搬送部４０乃至４４に一対の前側可動ガイド７２及び後側可動ガイド７３を左側連結板８１及び右側連結板８２を介して連結して互いの一面を平行にしたまま回動可能に設けるようにし、当該前側可動ガイド７２及び後側可動ガイド７３を接続部分前ガイド１２０及び接続部分後ガイド１２１の位置に応じて回転させて当該接続部分前ガイド１２０及び接続部分後ガイド１２１と嵌合させて双方向紙幣搬送路４０Ａ乃至４４Ａの上端部を紙幣振分搬送路２８Ａの下端部と接続するようにした。
【０４４４】
これにより現金自動預払機１は、双方向紙幣搬送路４０Ａ乃至４４Ａに対する紙幣振分搬送路２８Ａの位置ずれにより、前側可動ガイド７２及び後側可動ガイド７３を前側や後側へ傾けた姿勢で接続部分前ガイド１２０及び接続部分後ガイド１２１と嵌合させても、双方向紙幣搬送路４０Ａ乃至４４Ａの上端部と紙幣振分搬送路２８Ａの下端部とを搬送路縦幅を変化させずに接続して接続部分内に段差や凹みが形成されることを確実に防止することができる。
【０４４５】
よって現金自動預払機１は、双方向紙幣搬送路４０Ａ乃至４４Ａの上端部を紙幣振分搬送路２８Ａの下端部と、位置ずれの有無に関わらずに的確に接続することができる。
【０４４６】
また現金自動預払機１では、複数の双方向受渡搬送部４０乃至４４の後側ガイド保持部７１に回転制御レバー８５を、預払機後方向に沿って当該回転制御レバー８５の受部を順に右側に所定間隔でずらして取り付けるようにした。
【０４４７】
さらに現金自動預払機１では、振分搬送部２８の複数の搬送路接続部分それぞれの接続部分前ガイド１２０に押付アーム１１５を、預払機後方向に沿って当該押付アーム１１５の押付部を順に右側に所定間隔でずらして、回転制御レバー８５の受突起に対向させて取り付けるようにした。
【０４４８】
従って現金自動預払機１は、振分搬送部２８を有する上部ユニット１３の収納時、作業者に上部ユニット１３を預払機筐体２内に押し込ませるだけで、その押し込みによる振分搬送部２８の移動により、当該振分搬送部２８の複数の搬送路接続部分の押付アーム１１５の押付部を、それぞれ対応する双方向受渡搬送部４０乃至４４の回転制御レバー８５の受部に押し付けて前側可動ガイド７２及び後側可動ガイド７３を、接続部分前ガイド１２０及び接続部分後ガイド１２１の位置に応じた角度まで一括して回転させることができる。
【０４４９】
これにより現金自動預払機１は、上部ユニット１３の収納時、紙幣振分搬送路２８Ａの複数の下端部に対して、それぞれ対応する双方向紙幣搬送路４０Ａ乃至４４Ａの上端部を容易に、かつ精度良く位置決めして接続することができる。
【０４５０】
そして現金自動預払機１は、振分搬送部２８の複数の搬送路接続部分の接続部分前ガイド１２０にそれぞれ押付アーム１１５を取り付けると共に、複数の双方向受渡搬送部４０乃至４４の後側ガイド保持部７１にそれぞれ回転制御レバー８５を取り付けることで、紙幣振分搬送路２８Ａの複数の下端部と、それぞれ対応する双方向紙幣搬送路４０Ａ乃至４４Ａとの位置ずれの量や方向にばらつきがあっても、紙幣振分搬送路２８Ａの複数の下端部に対して、それぞれ対応する双方向紙幣搬送路４０Ａ乃至４４Ａの上端部を個別に精度良く位置決めして接続することができる。
【０４５１】
また現金自動預払機１では、このように紙幣振分搬送路２８Ａの複数の下端部に対して、それぞれ対応する双方向紙幣搬送路４０Ａ乃至４４Ａの上端部を個別に精度良く位置決めして接続することができるため、現金自動預払機１を工場で組み立てる際や設置場所での上部ユニット１３の交換の際に、当該上部ユニット１３の預払機前後方向に対する位置の調整の要求精度を、押付アーム１１５及び回転制御レバー８５を利用した前側可動ガイド７２及び後側可動ガイド７３の回転による位置決めでカバーできる程度まで下げることもできる。
【０４５２】
そして現金自動預払機１では、現金自動預払機１を工場で組み立てる際や設置場所での上部ユニット１３の交換の際に、当該上部ユニット１３の預払機前後方向に対する位置の調整の要求精度を下げれば、その分、上部ユニット１３の預払機前後方向に対する位置を調整するための作業を簡略化することができる。
【０４５３】
さらに現金自動預払機１では、複数の双方向受渡搬送部４０乃至４４にそれぞれ紙幣収納庫２０乃至２４を、搬送路の接続用に位置決めするための左側位置決めピン８７及び右側位置決めピン８８を昇降可能に設けるようにした。
【０４５４】
また現金自動預払機１では、金庫筐体１５内に金庫扉１５Ｂの開閉に応じて、複数の双方向受渡搬送部４０乃至４４の左側位置決めピン８７及び右側位置決めピン８８を上昇させて、対応する紙幣収納庫２０乃至２４の左側位置決め孔部１４０Ｃ及び右側位置決め孔部１４０Ｄから一括して引き抜き、また当該左側位置決めピン８７及び右側位置決めピン８８を下降させて、対応する紙幣収納庫２０乃至２４の左側位置決め孔部１４０Ｃ及び右側位置決め孔部１４０Ｄに一括して差し込むための差込引抜部１２５を設けるようにした。
【０４５５】
従って現金自動預払機１は、金庫筐体１５内への収納庫装填ケース１６の収納時、金庫筐体１５の金庫扉１５Ｂを閉じさせるだけで、複数の双方向受渡搬送部４０乃至４４の双方向紙幣搬送路４０Ａ乃至４４Ａの下端部に対して、対応する紙幣収納庫２０乃至２４の収納紙幣搬送路２０ＡＸ乃至２４ＡＸの上端部を精度良く位置決めして接続することができる。
【０４５６】
また現金自動預払機１は、金庫筐体１５内からの収納庫装填ケース１６の引出時、金庫筐体１５の金庫扉１５Ｂを開かせるだけで、複数の紙幣収納庫２０乃至２４の左側位置決め孔部１４０Ｃ及び右側位置決め孔部１４０Ｄから、対応する双方向受渡搬送部４０乃至４４の左側位置決めピン８７及び右側位置決めピン８８を一括して引き抜くことができる。
【０４５７】
よって現金自動預払機１は、金庫筐体１５内からの収納庫装填ケース１６の引出時、金庫筐体１５の金庫扉１５Ｂを開かせると、複数の紙幣収納庫２０乃至２４の左側位置決め孔部１４０Ｃ及び右側位置決め孔部１４０Ｄから複数の双方向受渡搬送部４０乃至４４の左側位置決めピン８７及び右側位置決めピン８８をそれぞれ引き抜かせるための特別な操作を何ら行わせることなく、引き続き金庫筐体１５内から収納庫装填ケース１６を引き出させることができる。
【０４５８】
（２）他の実施の形態
（２−１）他の実施の形態１
なお上述した実施の形態においては、複数の双方向受渡搬送部４０乃至４４に一対の前側可動ガイド７２及び後側可動ガイド７３をそれぞれ回動可能に設けると共に、当該前側可動ガイド７２及び後側可動ガイド７３を左側連結板８１及び右側連結板８２を介して連結して互いの一面を平行にしたまま回動させるようにした場合について述べた。
【０４５９】
しかしながら本発明は、これに限らず、例えば、図２０（Ａ）及び（Ｂ）に示すように、一対の搬送ガイド１７０、１７１の一方に他方を互いの一面を平行にしたまま固定し、当該一対の搬送ガイド１７０、１７１を１本の回動軸を中心にして回動可能に設けるようにしても良い。
【０４６０】
本発明は、係る構成によれば、双方向受渡搬送部において一対の搬送ガイド１７０、１７１を回動させるための構成を簡易化することができる。
【０４６１】
（２−２）他の実施の形態２
また上述した実施の形態においては、複数の双方向受渡搬送部４０乃至４４と複数の紙幣収納庫２０乃至２４との搬送路の接続用の位置決めに左側位置決めピン８７及び右側位置決めピン８８を用いるようにした場合について述べた。
【０４６２】
しかしながら本発明は、これに限らず、複数の双方向受渡搬送部４０乃至４４に、前側可動ガイド７２及び後側可動ガイド７３の下側にも、当該前側可動ガイド７２及び後側可動ガイド７３と同様構成の一対の搬送ガイドを設ける。
【０４６３】
そして本発明は、複数の双方向受渡搬送部４０乃至４４と複数の紙幣収納庫２０乃至２４との搬送路の接続用の位置決めを、当該複数の双方向受渡搬送部４０乃至４４と振分搬送部２８の複数の搬送路接続部分との接続用の位置決めと同様に行うようにしても良い。
【０４６４】
本発明は、係る構成によっても、複数の双方向紙幣搬送路４０Ａ乃至４４Ａを複数の収納紙幣搬送路２０ＡＸ乃至２４ＡＸと高精度に位置決めして接続することができる。
【０４６５】
（２−３）他の実施の形態３
さらに上述した実施の形態においては、振分搬送部２８と、複数の紙幣収納庫２０乃至２４との間に複数の双方向受渡搬送部４０乃至４４を設けるようにした場合について述べた。
【０４６６】
しかしながら本発明は、これに限らず、双方向受渡搬送部４０乃至４４を他の実施の形態２で述べた構成とすると共に、上部ユニット１３において上部筐体２７と振分搬送部２８とを個別に移動させて預払機筐体２に対し引出及び収納可能にし、そのうえで上部筐体２７と振分搬送部２８との間に双方向受渡搬送部を設けるようにしても良い。
【０４６７】
（２−４）他の実施の形態４
さらに上述した実施の形態においては、振分搬送部２８の複数の搬送路接続部分にそれぞれ一対の接続部分前ガイド１２０及び接続部分後ガイド１２１を固設し、複数の双方向受渡搬送部４０乃至４４に前側可動ガイド７２及び後側可動ガイド７３を設けるようにした場合について述べた。
【０４６８】
しかしながら本発明は、これに限らず、振分搬送部２８の複数の搬送路接続部分にそれぞれ一対の搬送ガイドを互いの一面を平行にしたまま回動可能に設け、複数の双方向受渡搬送部４０乃至４４に前側可動ガイド７２及び後側可動ガイド７３に換えて一対の搬送ガイドを固設するようにしても良い。
【０４６９】
すなわち、本発明は、前側可動ガイド７２及び後側可動ガイド７３の構成を双方向受渡搬送部４０乃至４４にのみ適用するのではなく、例えば、上部筐体２７と振分搬送部２８とを個別に移動させて預払機筐体２に対し引出及び収納可能にし、当該前側可動ガイド７２及び後側可動ガイド７３の構成を前側搬送部３２及び後側搬送部３３における振分搬送部２８との搬送路接続部分や、当該振分搬送部２８における前側搬送部３２及び後側搬送部３３との搬送路接続部分に適用することもできる。
【０４７０】
（２−５）他の実施の形態５
さらに上述した実施の形態においては、現金自動預払機１で紙幣を一方の長辺を搬送方向に向けて搬送するようにした場合について述べた。
【０４７１】
しかしながら本発明は、これに限らず、現金自動預払機１で紙幣を一方の短辺を搬送方向に向けて搬送するようにして、双方向受渡搬送部４０乃至４４や振分搬送部２８等の各紙幣搬送部を、当該紙幣の搬送姿勢に応じて構成するようにしても良い。
【０４７２】
（２−６）他の実施の形態６
さらに上述した実施の形態においては、本発明による紙葉類搬送装置を、図１乃至図２０について上述した現金自動預払機１に設けられ、複数の双方向受渡搬送部４０乃至４４を有する連結部３５に適用するようにした場合について述べた。
【０４７３】
しかしながら本発明は、これに限らず、切符やチケット、コピー用紙、葉書及び有価証券等の紙葉類を特定の種類のみ搬送する紙葉類搬送装置や、複数種類の紙葉類を搬送する紙葉類搬送装置等のように、この他種々の構成の紙葉類搬送装置に広く適用することができる。
【０４７４】
（２−７）他の実施の形態７
さらに上述した実施の形態においては、本発明による紙葉類取扱装置を、図１乃至図２０について上述した現金自動預払機１に適用するようにした場合について述べた。
【０４７５】
しかしながら本発明は、これに限らず、現金自動支払機（CD：Cash  Dispenser）、両替機、電車の切符や観劇のチケット等を販売する券売機、精算機、自動販売機、パチンコ台やスロット台のような遊戯機、コピー機、葉書取扱装置等のように、紙幣や切符、チケット等の種々の紙葉類を扱うこの他種々の構成の紙葉類取扱装置に広く適用することができる。
【０４７６】
（２−８）他の実施の形態８
さらに上述した実施の形態においては、所定の間隔で平行にされ、間に搬送路が形成されると共に、一端部が、間に接続対象搬送路が形成され間隔で平行にされた一対の接続側搬送ガイドの端部と嵌合可能な形状に形成された一対の搬送ガイドとして、図１乃至図２０について上述した双方向受渡搬送部４０乃至４４に設けられた断面略Ｊ字状の前側可動ガイド７２及び後側可動ガイド７３を適用するようにした場合について述べた。
【０４７７】
しかしながら本発明は、これに限らず、平板状の一対の搬送ガイドや、紙幣を一方向へ搬送する紙幣搬送部に回動可能に設けられた一対の搬送ガイド等のように、この他種々の形状及び構成の一対の搬送ガイドを広く適用することができる。
【０４７８】
（２−９）他の実施の形態９
さらに上述した実施の形態においては、間に接続対象搬送路が形成され、所定の間隔で平行にされた一対の接続側搬送ガイドとして、図１乃至図２０について上述した振分搬送部２８に設けられた接続部分前ガイド１２０及び接続部分後ガイド１２１を適用するようにした場合について述べた。
【０４７９】
しかしながら本発明は、これに限らず、前側搬送部３２や後側搬送部３３に設けられた一対の搬送ガイド等のように、この他種々の形状及び構成の一対の接続側搬送ガイドを広く適用することができる。
【０４８０】
（２−１０）他の実施の形態１０
さらに上述した実施の形態においては、一対の搬送ガイドを、一対の接続側搬送ガイドの位置に応じて回動可能なように支持する支持部として、図１乃至図２０について上述した双方向受渡搬送部４０乃至４４の搬送部筐体６０、前側ローラ軸６３及び後側ローラ軸６４を適用するようにした場合について述べた。
【０４８１】
しかしながら本発明は、これに限らず、ローラ軸と別に搬送ガイドの回転専用に設けられる可動軸を有する筐体等のように、この他種々の支持部を広く適用することができる。
【０４８２】
（２−１１）他の実施の形態１１
さらに上述した実施の形態においては、支持部に回動可能に支持された一対の搬送ガイドを、一対の接続側搬送ガイドの位置に応じて回転させるための回転制御レバーとして、図１乃至図２０について上述した双方向受渡搬送部４０乃至４４の回転制御レバー８５を適用するようにした場合について述べた。
【０４８３】
しかしながら本発明は、これに限らず、例えば前側可動ガイド７２に取り付けられ、振分搬送部２８の移動に応じて引っ掛けられて後側に引っ張られるような回転制御レバーのように、この他種々の構成の回転制御レバーを広く適用することができる。
【０４８４】
（２−１２）他の実施の形態１２
さらに上述した実施の形態においては、それぞれ一対の搬送ガイド、支持部及び回転制御レバーを有する複数の紙葉類搬送部として、図１乃至図２０について上述した双方向受渡搬送部４０乃至４４を適用するようにした場合について述べた。
【０４８５】
しかしながら本発明は、これに限らず、上述した双方向受渡搬送部４０乃至４４と同様の構成を有するものの、紙幣を一方向へのみ搬送する一方向受渡搬送部のように、この他種々の構成の紙葉類搬送部を広く適用することができる。
【０４８６】
（２−１３）他の実施の形態１３
さらに上述した実施の形態においては、複数の紙葉類搬送部にそれぞれ設けられ、一方向に沿って順次配置される複数の紙葉類収納庫を、対応する紙葉類搬送部に対して位置決めするための複数の位置決めピンとして、図１乃至図２０について上述した先端部がテーパ状に形成されり円柱状の左側位置決めピン８７及び右側位置決めピン８８を適用するようにした場合について述べた。
【０４８７】
しかしながら本発明は、これに限らず、この他種々の形状の位置決めピンを広く適用することができる。
【０４８８】
（２−１４）他の実施の形態１４
さらに上述した実施の形態においては、複数の紙葉類搬送部にそれぞれ設けられた複数の位置決めピンを、複数の紙葉類搬送部にそれぞれ形成されたピン差込孔部に差し込み、また複数の紙葉類搬送部それぞれのピン差込孔部から引き抜く差込引抜部として、図１乃至図２０について上述した差込引抜部１２５を適用するようにした場合について述べた。
【０４８９】
しかしながら本発明は、これに限らず、複数の紙葉類搬送部にそれぞれ設けられた複数の位置決めピンを、複数の紙葉類搬送部にそれぞれ形成されたピン差込孔部に異なるタイミングで順次差し込み、また複数の紙葉類搬送部それぞれのピン差込孔部から異なるタイミングで順次引き抜く差込引抜部や、作業者の操作により可動アーム１２７を移動させる差込引抜部のように、この他種々の構成の差込引抜部を広く適用することができる。
【産業上の利用可能性】
【０４９０】
本発明は、紙幣、切符、チケット、コピー用紙、葉書、有価証券等の紙葉類を搬送する紙葉類搬送装置と、紙葉類搬送装置によって搬送される紙幣、切符、チケット、コピー用紙、葉書、有価証券等の紙葉類を取り扱う紙葉類取扱装置とに利用することができる。
【符号の説明】
【０４９１】
１……現金自動預払機、２……預払機筐体、１３……上部ユニット、１５……金庫筐体、１５Ｂ……金庫扉、２０乃至２４……紙幣収納庫、２０Ａ乃至２４Ａ……収納庫搬送部、２０ＡＸ乃至２４ＡＸ……収納紙幣搬送路、２８……振分搬送部、２８Ａ……紙幣振分搬送路、３５……連結部、４０乃至４４……双方向受渡搬送部、４０Ａ乃至４４Ａ……双方向紙幣搬送路、６０……搬送部筐体、６３……前側ローラ軸、６４……後側ローラ軸、７２……前側可動ガイド、７３……後側可動ガイド、７４……前側固定ガイド、７５……後側固定ガイド、８１……左側連結板、８２……右側連結板、８５……回転制御レバー、８７……左側位置決めピン、８８……右側位置決めピン、９５……左側昇降制御レバー、９６……右側昇降制御レバー、１２５……差込引抜部、１２７……可動アーム、１７０、１７１……搬送ガイド。
【図１】
0005974624.tif 000002
【図２】
0005974624.tif 000003
【図３】
0005974624.tif 000004
【図４】
0005974624.tif 000005
【図５】
0005974624.tif 000006
【図６】
0005974624.tif 000007
【図７】
0005974624.tif 000008
【図８】
0005974624.tif 000009
【図９】
0005974624.tif 000010
【図１０】
0005974624.tif 000011
【図１１】
0005974624.tif 000012
【図１２】
0005974624.tif 000013
【図１３】
0005974624.tif 000014
【図１４】
0005974624.tif 000015
【図１５】
0005974624.tif 000016
【図１６】
0005974624.tif 000017
【図１７】
0005974624.tif 000018
【図１８】
0005974624.tif 000019
【図１９】
0005974624.tif 000020
【図２０】
0005974624.tif 000021
【図２１】
0005974624.tif 000022
【図２２】
0005974624.tif 000023
【図２３】
0005974624.tif 000024
【図２４】
0005974624.tif 000025